(57)【要約】  本発明は複数のユーザーに単一の固有統合通信ＩＤを与えて、各固有の統合通信にリンクされる複数のディレクトリ通信機器データを呼接続できるように管理することによって、受信者の統合通信ＩＤだけを認知した状態で、発信者が受信者の多様な通信機器に便利に接続できる統合通信ＩＤ提供システム及びその方法を開示する。本発明の適用において、発信者が受信者の統合通信ＩＤ一つだけを認知した状態で、当該受信者の移動通信端末、有線端末、ファックス、ホームページなどに中継を介した接続を行うことができ、一つの統合通信ＩＤを利用して既公開された多様な情報を不特定第３者が閲覧できるので、非常に便利だという長所があり、これを介して、情報の洪水の中で各種電話番号などの多様な番号、ホームページＵＲＬ、電子メールＩＤ、メッセンジャーＩＤなどを記憶しなくてもよい。
2006506919.tif 000002
【特許請求の範囲】
【請求項１】
受信者の統合通信ＩＤを認知する不特定第３者が各種通信信号及び入力信号を発生させるための発信者端末と；
各種通信対象接続番号及び車両番号、子女の実名などをそのディレクトリ情報として格納し、その情報を通称する固有な単一の統合通信ＩＤを提供することによって、その統合通信ＩＤだけを認知する不特定第３者にその他の接続番号及び閲覧情報を提供するように管理し、各種中継サーバーのルート質疑要請に応答して接続ルートを指定する統合通信ＩＤ提供サーバーと；
前記統合通信ＩＤ提供サーバーのＤＢが読み取り可能に接続されており、前記発信者端末からの接続要求信号によってその統合通信ＩＤ提供サーバーでルートに対する質疑要請を行い、その応答信号によって接続対象者端末との接続トライアルを行う中継サーバーと；
を含むことを特徴とする統合通信ＩＤ提供システム。
【請求項２】
前記通信対象接続番号は、移動通信端末、ファックス、有線電話、ホームページ、電子メール、ネットワーク電話、メッセンジャーであることを特徴とする請求項１に記載の統合通信ＩＤ提供システム。
【請求項３】
前記発信者端末は、移動通信端末、有線電話端末、パソコン端末を含んだ音声通信及びデータ通信が可能な通信機器であることを特徴とする請求項１に記載の統合通信ＩＤ提供システム。
【請求項４】
前記発信者端末は、ユーザーが入力した多国語の文字で構成された統合通信ＩＤを、交換器及び基地局で受信可能な数字列の接続コードに自動変換させるコード変換アルゴリズムを内部に備えることを特徴とする請求項１に記載の統合通信ＩＤ提供システム。
【請求項５】
前記コード変換アルゴリズムは、各文字別に接続コードが与えられたり、各単語別に接続コードが与えられたもののうち、いずれかであることを特徴とする請求項４に記載の統合通信ＩＤ提供システム。
【請求項６】
前記中継サーバーは、無線通信網の中継機である基地局及び交換器、インテリジェントネットワーク交換器または有線通信網の中継機である市内交換器、市外交換器、接続交換器、有線／無線ウェブ網の中継機である各種ルートサーバー及び各種ゲートウエー、ＷＡＰゲートウエー中の少なくとも一つを含むことを特徴とする請求項１に記載の統合通信ＩＤ提供システム。
【請求項７】
前記統合通信ＩＤ提供サーバーは、統合通信ＩＤが与えられたユーザーの身上情報と、各ユーザーに固有に与えられた統合通信ＩＤ情報及びそのユーザーが公開した各種通信機器及びホームページ情報、電子メール情報、車両情報、子女の実名などの公開情報が読み取り可能に格納されたデータベースを更に含むことを特徴とする請求項１に記載の統合通信ＩＤ提供システム。
【請求項８】
前記統合通信ＩＤ提供サーバーとユーザー間には、各統合通信ＩＤ別のディレクトリ情報に格納された各種情報（携帯電話番号、家の電話番号、職場の電話番号、ホームページ、電子メール）を固有に表す情報表示番号が固有数字などで予め約定されていることを特徴とする請求項１に記載の統合通信ＩＤ提供システム。
【請求項９】
前記統合通信ＩＤは、各種文字、特殊文字、数字、各種文様、画像データの中の少なくとも一つからなることを特徴とする請求項１に記載の統合通信ＩＤ提供システム。
【請求項１０】
前記発信者端末が移動通信端末である場合、同一の画面に統合通信ＩＤ情報と伝送する文字データを同時に入力し、統合通信ＩＤ提供サーバーでこれを分離して認識できることを特徴とする請求項１に記載の統合通信ＩＤ提供システム。
【請求項１１】
文章の開始を表す特定文字や記号が、通信ＩＤ情報と文字データとの間に介在されることを特徴とする請求項１０に記載の統合通信ＩＤ提供システム。
【請求項１２】
前記統合通信ＩＤは、固有に与えられる基本統合通信ＩＤ、グループ単位で重複可能に与えられる関係型統合通信ＩＤ及び、地域単位別に重複可能に与えられるローカル統合通信ＩＤを含むことを特徴とする請求項に１に記載の統合通信ＩＤ提供システム。
【請求項１３】
前記発信者端末は、基本統合通信ＩＤを入力する基本入力モード、関係型統合通信ＩＤを入力するモード及び、ローカル統合通信ＩＤ入力モードを備えることを特徴とする請求項１に記載の統合通信ＩＤ提供システム。
【請求項１４】
前記統合通信ＩＤ提供サーバーは、基本統合通信ＩＤを格納するデータベースを中心に、関係型統合通信ＩＤ及びローカル統合通信ＩＤのデータがそれぞれ連動される構造のデータベースを、内部に備えることを特徴とする請求項１に記載の統合通信ＩＤ提供システム。
【請求項１５】
統合通信ＩＤを提供するサーバー及び中継サーバーによって、接続可能な多様な通信手段の接続情報及び既公開した各種情報を通称してリアルタイム接続及びリアルタイム情報の閲覧が可能なように固有に与えられた統合通信ＩＤを提供する方法において、
複数のユーザーがパソコンや統合通信ＩＤ提供サーバーに接続するステップと；
ユーザーが固有な統合通信ＩＤ及びその下部情報を登録するステップと；
他のユーザーの統合通信ＩＤを利用して通信接続するステップと；
他のユーザーの統合通信ＩＤを利用して公開された下部情報の閲覧を行うステップと；を含むことを特徴とする統合通信ＩＤ提供方法。
【請求項１６】
ユーザーが固有な統合通信ＩＤ及びその下部情報を登録するステップは、
複数のユーザーがＰＣや移動通信端末を介して統合通信ＩＤ提供サーバーに接続するステップと；
ユーザーが登録を望む統合通信ＩＤが既登録されているかを検索するステップと；
当該統合通信ＩＤが重複しない場合、当該統合通信ＩＤを登録申請するステップと；
登録した統合通信ＩＤの下部情報のディレクトリ情報（家の電話番号、職場の電話番号、ホームページ情報、ファックス番号、電子メール情報、車両情報、子女の実名など）うち、その公開の可否を選択するステップと；
を含むことを特徴とする請求項１５に記載の統合通信ＩＤ提供方法。
【請求項１７】
他のユーザーの統合通信ＩＤを利用して通信接続するステップは、
あるユーザーが通信端末を利用して接続しようとする特定第３者の統合通信ＩＤ及びその通信対象を表す情報を入力して接続のトライアルを行うステップと；
中継サーバーが当該ユーザーの通信端末から供給された情報を統合通信ＩＤ提供サーバーと連係してスキャンするステップと；
中継サーバーが統合通信ＩＤ提供サーバーに当該統合通信ＩＤについての質疑要請を行うステップと；
統合通信ＩＤ提供サーバーが当該統合通信ＩＤ及びその通信対象情報に基づいて接続可能な通信機器の接続番号を提供するステップと；
中継サーバーがその通信機器の接続番号を受信して両者を呼接続させるステップと；
を含むことを特徴とする請求項１５に記載の統合通信ＩＤ提供方法。
【請求項１８】
ユーザーの選択によって統合通信ＩＤ提供サーバーに既登録された登録者に、当該ユーザーの統合通信ＩＤ変更時その変更情報を送信するステップを更に含むことを特徴とする請求項１５に記載の統合通信ＩＤ提供方法。
【請求項１９】
ユーザーが有線／無線端末を利用して呼接続対象者の統合通信ＩＤを入力するステップと；
当該ユーザーの有線／無線端末に既に設けられたコード変換アルゴリズムを利用して呼接続対象者の統合通信ＩＤを接続コードに変換するステップと；
その接続コードに対応する周波数信号を発生させるステップと；
その周波数信号を基地局及び交換器または市内外交換器を介して受信するステップと；
当該周波数をインテリジェントネットワーク交換器に伝送するステップと；
インテリジェントネットワーク交換器がその周波数情報を利用して接続コードを復元させて統合通信ＩＤ提供サーバーに伝送するステップと；
統合通信ＩＤ提供サーバーで当該接続コードを有するユーザーの実際の電話番号を抽出するステップと；
実際の電話番号及び接続コードをインテリジェントネットワーク交換器、交換器、基地局に伝送して呼接続のトライアルを行うステップと；
接続コードを変換して発信ユーザーの統合通信ＩＤを復元させるステップと；
復元した発信ユーザーの統合通信ＩＤを画面出力するステップと；
を更に含むことを特徴とする請求項１５に記載の統合通信ＩＤ提供方法。
【請求項２０】
前記統合通信ＩＤ提供サーバーで接続対象者の実際の電話番号を抽出するステップは、発信ユーザーが既登録された特定語句が発信ユーザーの統合通信ＩＤと共に呼接続データパケットに含まれるように組み合わされるステップを更に含むことを特徴とする請求項１９に記載の統合通信ＩＤ提供方法。
【請求項２１】
各種通信機器及び既登録された下部情報を備え、音声認識機とＡＲＳとからなるボイスＩＤ通知装置を更に含む統合通信ＩＤ提供方法において、
ショートカットキーや代表電話番号を利用して統合通信ＩＤ提供サーバーに呼接続を行うステップと；
統合通信ＩＤを音声入力するステップと；
音声データを文字データに変換して対応する接続コード及び実際の電話番号データを抽出するステップと；
接続コード及び実際の電話番号を中継機に伝送するステップと；
中継機が両ユーザーの端末を呼接続するステップと；
を含むことを特徴とする統合通信ＩＤ提供方法。
【請求項２２】
受信者の統合通信ＩＤを認知する不特定第３者が各種通信信号及び入力信号を発生させるための発信者有線電話端末と；
受信者に統合通信ＩＤを提供し、その統合通信ＩＤの下部情報で有線電話端末情報を既に格納した状態で、不特定第３者の発信者に当該統合通信ＩＤの公開情報を提供し、リアルタイム通信接続が可能なように接続ルートを指定し、内部に統合通信ＩＤを認知できる音声認識装置と各種応答信号を発生させる音声認識装置及びボイスＩＤ通知装置が設けられた統合通信ＩＤ提供サーバーと；
前記有線電話端末からの接続要求信号によってその統合通信ＩＤ提供サーバーとデータ送信可能に信号中継処理を行う中継サーバーと；
前記発信者有線電話端末を介して入力された統合通信ＩＤ情報及びその通信機器対象への接続要求によって統合通信ＩＤ提供サーバーを介して呼接続が行われる受信者端末と；
を含むことを特徴とする統合通信ＩＤ提供システム。
【請求項２３】
前記統合通信ＩＤ提供サーバーは、発信者端末と受信者端末との間に送受信される各種データを格納できるように、各統合通信ＩＤ別に格納領域が割り当てられたデータベースを更に含むことを特徴とする請求項１に記載の統合通信ＩＤ提供システム。
【請求項２４】
不特定第３者は、各種端末を介して統合通信ＩＤ提供サーバーに接続するステップと；
特定ディレクトリ情報を入力するステップと；
当該ディレクトリ情報の所有者電話端末を逆スキャンするステップと；
当該ディレクトリ情報の所有者と呼接続のトライアルを行って、その所有者との通信接続が可能なようにするステップと；
を含むことを特徴とする請求項１５に記載の統合通信ＩＤ提供方法。
【発明の詳細な説明】
【技術分野】
【０００１】
本発明は統合通信ＩＤ提供システム及びその方法に関するもので、より詳細には、移動通信端末を利用して不特定第３者がユーザーの各種通信手段（移動通信端末、ファックス、有線電話、ホームページ、電子メール、ネットワーク電話、メッセンジャーなど）にアクセスできるように、各ユーザーに単一の統合通信ＩＤを固有に与える統合通信ＩＤ提供システム及びその方法に関するものである。
【背景技術】
【０００２】
近年、情報通信機術の発達に伴って、遠距離データ通信網を介して多様な分野に対する情報を少なくとも一つのホストサーバーを通じて複数の加入者の方にリアルタイムで提供する情報提供技術の開発が活発に進んでいる。
それに基づいて、最近は、加入者に正確な情報をより迅速に提供するためのキャッシュメモリの拡張技術などのように、周辺技術と加入者の趣向や選好度によってより便利に接近できる情報選別技術や圧縮機術が開発されている。それに伴って、各種コンテンツやそのソリューションの開発にも拍車がかかっている実情である。
【０００３】
また、最近には移動通信技術の画期的な発展と移動通信端末の爆発的な普及によって、老若男女問わず携帯電話、ＰＣＳを持って音声通話や各種データ通信を行っている。一方、コンピュータ通信の復興に伴って電子メールを介した各種文書の交換、動映像、画像データの送受信は複数のユーザーが一般的に利用している。各ユーザーや、業者もそれぞれのホームページなどを製作して活発に利用している実情である。
更に、最近にはショートメッセージシステムのメッセンジャープログラムがマイクロソフト社から市場に発表され、多くのユーザーがこれを使用している。メッセンジャープログラムはＰＣのＩＰ値を登録した状態で望む相手とショートメッセージを送受信できるプログラムであり、電子メールなどとは異なりプログラムが実行されている状態でリアルタイムでショートメッセージを伝達できる。
その上、最近には複数の金融会社のサーバーを運用しており、ユーザーはコンピュータ端末を介して当該金融サーバーに接続して、ユーザー認証過程を経た後、望む口座への振替及び各種自動振替設定など金融処理を行うインターネットバンキングが盛んになっている。
【０００４】
結局、このような通信基盤の環境下におけるユーザーは、複数の接続手段認証のためのＩＤとパスワードを記憶しなければならず、自分のものだけでなく他人の電子メールアドレス、ホームページアドレス、移動通信端末の番号、有線電話の番号、職場の電話番号、ファックス番号、電子メール接続のためのＩＤとパスワード、車両番号など各種番号及びドメインアドレス、ＩＤを記憶しなければならない不便さがある。
その一例で、特定ユーザーが移動通信端末を利用して特定第３者に電話をかける場合にも当該第３者から提供された名刺を利用して移動通信端末の番号を入力して通話のトライアルを行うが、不通時は再び名刺に書かれている職場の電話番号を入力して通話のトライアルを再度行わなればならないため、非常に不便である。
また、特定人のホームページにアクセスしたり、電子メールを送付する場合にも電話番号通知システム（韓国における１１４）などのように、当該ホームページや電子メールアドレスに対して情報を提供するシステムが具備されていないため、非常に不便な問題があった。
更に、ユーザーが使用する自分の電子メールを確認するためには、特定メールサーバーに接続してＩＤとパスワードを入力して電子メール受信の可否を確認する必要があり、自分の口座への入金の可否を知りたい場合は、メールサーバーとのアクセスを終了し、特定金融サーバーにアクセスして再びＩＤとパスワードを入力し、入金の可否を確認しなければならないため、頻繁にウィンドウを開閉する不便さがあった。
その上、ネットワーク電話すなわち、コンピュータ端末のデータ通信網を介した音声通話（例えば、ダイヤルパッド）の場合は、各コンピュータ端末のユーザー別電話番号がないので安価であり、インターネット網を利用するので断線の危険が全くない。また、持続的に品質向上が行われるが、従来にはこのようなネットワーク電話もやはり別途の固有番号が与えなければならない問題があり、特定の固有番号が与えられるとユーザーは自分と、望む接続対象者のネットワーク電話番号を記憶しなければならない問題がある。そのため、ネットワーク電話の普及に限界があった。
また、外部から緊急に特定人にファックスを送らなければならない状況においても、その特定人に電話してファックス番号を別途に聞かなければならない不便があり、電話番号通知システム（韓国における１１４）を介して特定会社に電話をかけた場合も、再び内線を介して望む部署の望む担当者に連結される時まで持続的に連結のトライアルを行わなければならない問題があった。したがって、会社の場合、費用及び時間所要による損失が大きく、当該担当者と通話しようとする呼出者は多くの時間を待たなければならないため、非常に不便である。
【発明の開示】
【発明が解決しようとする課題】
【０００５】
前述した従来技術の問題点に鑑みてなされた本発明は、移動通信端末を利用してユーザーが容易に特定第３者が既登録しておいた通信ＩＤ関連情報を画面出力できるようにする統合通信ＩＤ提供システム及びその方法を提供することにその目的がある。
本発明の他の目的は移動通信端末を利用して不特定第３者がユーザーの各種通信手段（移動通信端末、ファックス、有線電話、ホームページ、電子メール、ネットワーク電話、メッセンジャーなど）にアクセスできるように、各ユーザーに単一の統合通信ＩＤを固有に与える統合通信ＩＤ提供システム及びその方法を提供することにある。
本発明のもう一つの目的は、移動通信端末を利用して不特定第３者がユーザーの各種通信手段（移動通信端末、ファックス、有線電話、ホームページ、電子メール、ネットワーク電話、メッセンジャーなど）にアクセスできるように、各ユーザーに単一の統合通信ＩＤに対するディレクトリ情報をリアルタイムで登録及び修正が可能な統合通信ＩＤ提供システム及びその方法を提供することにある。
本発明のもう一つの目的は、有線電話端末を利用して不特定第３者がユーザーの各種通信手段にアクセスできるように、既登録された統合通信ＩＤ別ディレクトリ情報を提供する統合通信ＩＤ提供システム及びその方法を提供することにある。
本発明のもう一つの目的は、ネットワーク電話を利用して不特定第３者がユーザーの各種通信手段にアクセスできるように、既登録された通信ＩＤ別ディレクトリ情報を提供する統合通信ＩＤ提供システム及びその方法を提供することにある。
本発明のもう一つの目的は、無線通信端末を利用した音声入力で他人の統合通信ＩＤを有する各種通信機器とリアルタイムで呼接続ができ、その統合通信ＩＤと関連した多様なディレクトリ情報を受け取ることができる統合通信ＩＤ提供システム及びその方法を提供することにある。
本発明のもう一つの目的は、移動通信端末を利用して入出金命令を指示できるように金融サーバーに接続した遠隔サーバーが提供され、その遠隔サーバーに各ユーザー別の仮想口座を格納して安全な金融取引を行うことができる統合通信ＩＤ提供システム及びその方法を提供することにある。
本発明のもう一つの目的は、各統合通信ＩＤを区分した基本統合通信ＩＤ、関係型統合通信ＩＤ、ローカル統合通信ＩＤを利用して、知人とビジネスに対する区分及び重複付与が可能な統合通信ＩＤを登録、管理、及び提供することによって、容易に当該統合通信ＩＤをユーザーが利用できる統合通信ＩＤ提供システム及びその方法を提供することにある。
本発明のもう一つの目的は、各ユーザーのコンピュータ端末に別途の固有なＩＰアドレスが自動に与えられ、そのＩＰアドレスと統合通信ＩＤがそれぞれ連動する専用のアプリケーションをダウンロード／インストール可能に提供することによって、インターネット網を介して多様なグループ別コミュニティを行うことができる統合通信ＩＤ提供システム及びその方法を提供することにある。
【課題を解決するための手段】
【０００６】
これらの目的を達成するために、本発明によれば、受信者の統合通信ＩＤを認知する不特定第３者が各種通信信号及び入力信号を発生させるための発信者端末と；各種通信対象接続番号及び車両番号、子女の実名などをそのディレクトリ情報として格納し、その情報を通称する固有な単一の統合通信ＩＤを提供することによって、その統合通信ＩＤだけを認知する不特定第３者にその他の接続番号及び閲覧情報を提供するように管理し、各種中継サーバーのルート質疑要請に応答して接続ルートを指定する統合通信ＩＤ提供サーバーと；前記統合通信ＩＤ提供サーバーのＤＢが読み取り可能に接続されており、前記発信者端末からの接続要求信号によってその統合通信ＩＤ提供サーバーでルートに対する質疑要請を行い、その応答信号によって接続対象者端末との接続トライアルを行う中継サーバーと；を含むことを特徴とする統合通信ＩＤ提供システムが提供される。
【０００７】
好ましく、前記通信対象接続番号は、移動通信端末、ファックス、有線電話、ホームページ、電子メール、ネットワーク電話、メッセンジャーである。
【０００８】
好ましく、前記発信者端末は、移動通信端末、有線電話端末、パソコン端末を含んだ音声通信及びデータ通信が可能な通信機器である。
【０００９】
好ましく、前記発信者端末は、ユーザーが入力した多国語の文字で構成された統合通信ＩＤを、交換器及び基地局で受信可能な数字列の接続コードに自動変換させるコード変換アルゴリズムを内部に備える。
【００１０】
好ましく、前記コード変換アルゴリズムは、各文字別に接続コードが与えられたり、各単語別に接続コードが与えられたもののうち、いずれかである。
【００１１】
好ましく、前記中継サーバーは、無線通信網の中継機である基地局及び交換器、インテリジェントネットワーク交換器または有線通信網の中継機である市内交換器、市外交換器、接続交換器、有線／無線ウェブ網の中継機である各種ルートサーバー及び各種ゲートウエー、ＷＡＰゲートウエー中の少なくとも一つを含むこと。
【００１２】
好ましく、前記統合通信ＩＤ提供サーバーは、統合通信ＩＤが与えられたユーザーの身上情報と、各ユーザーに固有に与えられた統合通信ＩＤ情報及びそのユーザーが公開した各種通信機器及びホームページ情報、電子メール情報、車両情報、子女の実名などの公開情報が読み取り可能に格納されたデータベースを更に含む。
【００１３】
好ましく、前記統合通信ＩＤ提供サーバーとユーザー間には、各統合通信ＩＤ別のディレクトリ情報に格納された各種情報（携帯電話番号、家の電話番号、職場の電話番号、ホームページ、電子メール）を固有に表す情報表示番号が固有数字などで予め約定されている。
【００１４】
好ましく、前記統合通信ＩＤは、各種文字、特殊文字、数字、各種文様、画像データの中の少なくとも一つからなる。
【００１５】
好ましく、前記発信者端末が移動通信端末である場合、同一の画面に統合通信ＩＤ情報と伝送する文字データを同時に入力し、統合通信ＩＤ提供サーバーでこれを分離して認識できる。
【００１６】
好ましく、文章の開始を表す特定文字や記号が、通信ＩＤ情報と文字データとの間に介在される。
【００１７】
好ましく、前記統合通信ＩＤは、固有に与えられる基本統合通信ＩＤ、グループ単位で重複可能に与えられる関係型統合通信ＩＤ及び、地域単位別に重複可能に与えられるローカル統合通信ＩＤを含む。
【００１８】
好ましく、前記発信者端末は、基本統合通信ＩＤを入力する基本入力モード、関係型統合通信ＩＤを入力するモード及び、ローカル統合通信ＩＤ入力モードを備える。
【００１９】
好ましく、前記統合通信ＩＤ提供サーバーは、基本統合通信ＩＤを格納するデータベースを中心に、関係型統合通信ＩＤ及びローカル統合通信ＩＤのデータがそれぞれ連動される構造のデータベースを、内部に備える。
【００２０】
本発明の一態様によれば、統合通信ＩＤを提供するサーバー及び中継サーバーによって、接続可能な多様な通信手段の接続情報及び既公開した各種情報を通称してリアルタイム接続及びリアルタイム情報の閲覧が可能なように固有に与えられた統合通信ＩＤを提供する方法において、複数のユーザーがパソコンや統合通信ＩＤ提供サーバーに接続するステップと；ユーザーが固有な統合通信ＩＤ及びその下部情報を登録するステップと；他のユーザーの統合通信ＩＤを利用して通信接続するステップと；他のユーザーの統合通信ＩＤを利用して公開された下部情報の閲覧を行うステップと；を含むことを特徴とする統合通信ＩＤ提供方法が提供される。
【００２１】
好ましく、ユーザーが固有な統合通信ＩＤ及びその下部情報を登録するステップは、複数のユーザーがＰＣや移動通信端末を介して統合通信ＩＤ提供サーバーに接続するステップと；ユーザーが登録を望む統合通信ＩＤが既登録されているかを検索するステップと；当該統合通信ＩＤが重複しない場合、当該統合通信ＩＤを登録申請するステップと；登録した統合通信ＩＤの下部情報のディレクトリ情報（家の電話番号、職場の電話番号、ホームページ情報、ファックス番号、電子メール情報、車両情報、子女の実名など）うち、その公開の可否を選択するステップと；を含む。
【００２２】
好ましく、他のユーザーの統合通信ＩＤを利用して通信接続するステップは、あるユーザーが通信端末を利用して接続しようとする特定第３者の統合通信ＩＤ及びその通信対象を表す情報を入力して接続のトライアルを行うステップと；中継サーバーが当該ユーザーの通信端末から供給された情報を統合通信ＩＤ提供サーバーと連係してスキャンするステップと；中継サーバーが統合通信ＩＤ提供サーバーに当該統合通信ＩＤについての質疑要請を行うステップと；統合通信ＩＤ提供サーバーが当該統合通信ＩＤ及びその通信対象情報に基づいて接続可能な通信機器の接続番号を提供するステップと；中継サーバーがその通信機器の接続番号を受信して両者を呼接続させるステップと；を含む。
【００２３】
好ましく、ユーザーの選択によって統合通信ＩＤ提供サーバーに既登録された登録者に、当該ユーザーの統合通信ＩＤ変更時その変更情報を送信するステップを更に含む。
【００２４】
好ましく、ユーザーが有線／無線端末を利用して呼接続対象者の統合通信ＩＤを入力するステップと；当該ユーザーの有線／無線端末に既に設けられたコード変換アルゴリズムを利用して呼接続対象者の統合通信ＩＤを接続コードに変換するステップと；その接続コードに対応する周波数信号を発生させるステップと；その周波数信号を基地局及び交換器または市内外交換器を介して受信するステップと；当該周波数をインテリジェントネットワーク交換器に伝送するステップと；インテリジェントネットワーク交換器がその周波数情報を利用して接続コードを復元させて統合通信ＩＤ提供サーバーに伝送するステップと；統合通信ＩＤ提供サーバーで当該接続コードを有するユーザーの実際の電話番号を抽出するステップと；実際の電話番号及び接続コードをインテリジェントネットワーク交換器、交換器、基地局に伝送して呼接続のトライアルを行うステップと；接続コードを変換して発信ユーザーの統合通信ＩＤを復元させるステップと；復元した発信ユーザーの統合通信ＩＤを画面出力するステップと；を更に含む。
【００２５】
好ましく、前記統合通信ＩＤ提供サーバーで接続対象者の実際の電話番号を抽出するステップは、発信ユーザーが既登録された特定語句が発信ユーザーの統合通信ＩＤと共に呼接続データパケットに含まれるように組み合わされるステップを更に含む。
【００２６】
本発明の他の態様によれば、各種通信機器及び既登録された下部情報を備え、音声認識機とＡＲＳとからなるボイスＩＤ通知装置を更に含む統合通信ＩＤ提供方法において、ショートカットキーや代表電話番号を利用して統合通信ＩＤ提供サーバーに呼接続を行うステップと；統合通信ＩＤを音声入力するステップと；音声データを文字データに変換して対応する接続コード及び実際の電話番号データを抽出するステップと；接続コード及び実際の電話番号を中継機に伝送するステップと；中継機が両ユーザーの端末を呼接続するステップと；を含むことを特徴とする統合通信ＩＤ提供方法が提供される。
【００２７】
また、本発明の他の態様によれば、受信者の統合通信ＩＤを認知する不特定第３者が各種通信信号及び入力信号を発生させるための発信者有線電話端末と；受信者に統合通信ＩＤを提供し、その統合通信ＩＤの下部情報で有線電話端末情報を既に格納した状態で、不特定第３者の発信者に当該統合通信ＩＤの公開情報を提供し、リアルタイム通信接続が可能なように接続ルートを指定し、内部に統合通信ＩＤを認知できる音声認識装置と各種応答信号を発生させる音声認識装置及びボイスＩＤ通知装置が設けられた統合通信ＩＤ提供サーバーと；前記有線電話端末からの接続要求信号によってその統合通信ＩＤ提供サーバーとデータ送信可能に信号中継処理を行う中継サーバーと；前記発信者有線電話端末を介して入力された統合通信ＩＤ情報及びその通信機器対象への接続要求によって統合通信ＩＤ提供サーバーを介して呼接続が行われる受信者端末と；を含むことを特徴とする統合通信ＩＤ提供システムが提供される。
【００２８】
好ましく、前記統合通信ＩＤ提供サーバーは、発信者端末と受信者端末との間に送受信される各種データを格納できるように、各統合通信ＩＤ別に格納領域が割り当てられたデータベースを更に含むことを特徴とする請求項１に記載の統合通信ＩＤ提供システム。
【００２９】
更に、本発明の他の態様によれば、不特定第３者は、各種端末を介して統合通信ＩＤ提供サーバーに接続するステップと；特定ディレクトリ情報を入力するステップと；当該ディレクトリ情報の所有者電話端末を逆スキャンするステップと；当該ディレクトリ情報の所有者と呼接続のトライアルを行って、その所有者との通信接続が可能なようにするステップと；を含むことを特徴とする請求項１５に記載の統合通信ＩＤ提供方法が提供される。
【発明を実施するための最良の形態】
【００３０】
以下、本発明の第１実施形態について図面を参照して詳細に説明する。
図１は、本発明の第１実施形態に係る統合通信ＩＤ提供システムの概略的な構成を示す模式図である。
これを参照すれば、本発明の第１実施形態に係る統合通信ＩＤ提供システムは、移動通信端末を利用して不特定第３者がユーザーの各種通信手段（移動通信端末、ファックス、有線電話、ホームページ、電子メール、ネットワーク電話、メッセンジャーなど）にアクセスできるように、各ユーザーに単一の統合通信ＩＤを固有に与えることができる。本発明で例示する統合通信ＩＤ（Ｍｕｌｔｉ−Ｃｏｍｍｕｎｉｃａｔｉｏｎ  ＩＤ）とは、各種通信網を介して不特定第３者がアクセスできるように既付与した複数のディレクトリ情報（移動通信端末の番号、ファックス番号、有線電話の番号、ホームページＵＲＬ、電子メールＩＤ、ネットワーク電話番号、メッセンジャーＩＤ．．．など）の代表ＩＤである。
すなわち、本発明の第１実施形態に係る統合通信ＩＤ提供システムを介してあるユーザーが特定第３者の統合通信ＩＤを入力すると、当該統合通信ＩＤのディレクトリ情報の公開可否によって当該特定第３者の移動通信端末及びファックス、有線電話、ホームページ、電子メール、ネットワーク電話、メッセンジャーなどにリアルタイムで接続することができる。例えば、特定第３者のホームページにアクセスしなければならない場合、当該第３者の移動通信端末の番号だけを認知するユーザーは、別途に当該番号のユーザーと通話しなくてもそのユーザーのホームページＵＲＬを受け取ることができる。
また、本発明の第１実施形態に係る統合通信ＩＤ提供システムを介して、特定人にだけ自分の統合通信ＩＤに対応するディレクトリ情報を公開することができる。すなわち、自分が既登録した複数の統合通信ＩＤを有する接続者が接続する場合にだけ自分のディレクトリ情報を提供するように、一部の遮断機能を付加して個人のプライバシーを保護することがきる。
【００３１】
本発明の第１実施形態に係る統合通信ＩＤ提供システムは、複数のユーザーが接続して各種通信手段に対する情報を獲得したり、接続できる代表名としてユーザー別固有統合通信ＩＤを提供するための統合通信ＩＤ提供サーバーＩＣＩＤＳを備えている。
この統合通信ＩＤ提供サーバーＩＣＩＤＳは、各ユーザー別に統合通信ＩＤを与え、その統合通信ＩＤ別に当該ユーザーの各種通信情報をディレクトリ情報としてデータベース化する。したがって、統合通信ＩＤ提供サーバーＩＣＩＤＳには当該ユーザーの身上情報を格納する第１データベースＤＢ１、及び当該ユーザー別統合通信ＩＤ情報とその通信ＩＤ別ディレクトリ情報を格納する第２データベースＤＢ２が提供される。
第１データベースＤＢ１と第２データベースＤＢ２は、マルチスキャンが可能なように構築されているので、あるユーザーが移動通信端末Ａ１〜Ａｎを利用して統合通信ＩＤ提供サーバーＩＣＩＤＳにアクセスした後、特定統合通信ＩＤに対するディレクトリ情報を要求する場合、当該統合通信ＩＤを質疑要求情報として第２データベースＤＢ２からリアルタイムでスキャンできるようになっている。この時、統合通信ＩＤ提供サーバーＩＣＩＤＳは当該統合通信ＩＤがあるテーブルに存在しているかをスキャンし、スキャンした当該テーブル情報から当該統合通信ＩＤによるディレクトリ情報（各種通信情報）を読み取るようになる。
【００３２】
移動通信端末Ａ１〜Ａｎからの質疑情報は、まず移動通信サーバーＭＣＳに伝送される。移動通信サーバーＭＣＳは移動通信端末Ａ１〜Ａｎからの要求信号が呼接続信号であるか、または文字データ伝送信号であるかを判断する。統合通信ＩＤ提供サーバーＩＣＩＤＳにおいて、第２データベースＤＢ２が移動通信サーバーＭＣＳに対して開放されているので、この移動通信サーバーＭＣＳは発信移動通信端末Ａ１〜Ａｎの情報検索と、当該移動通信端末ＭＣＳからの要求情報及び受信移動通信端末Ｂ１〜Ｂｎの検索を行うようになる。
したがって、移動通信サーバーＭＣＳは、既構築した発信者の移動通信端末Ａ１〜Ａｎの情報をスキャンして発信可能な加入者であるかどうかを判断して受信者の移動通信端末Ｂ１〜Ｂｎをマルチスキャンするようになり、移動通信サーバーＭＣＳのＤＢから当該受信者番号の検索が不可能であるならば、統合通信ＩＤ提供サーバーＩＣＩＤＳに当該統合通信ＩＤが存在するかどうかをスキャンするための要求を行う。
そのスキャン要求信号に基づいて、統合通信ＩＤ提供サーバーＩＣＩＤＳは第２データベースＤＢ２をスキャンして当該統合通信ＩＤがあるテーブルに存在しているかをスキャンし、その統合通信ＩＤがスキャンされると、当該ディレクトリ情報を読み取って提供する。
【００３３】
好ましくは、ディレクトリ情報のうち、アクセス対象によって固有な数字を与え、その数字が統合通信ＩＤの前端に位置すると、どんな通信対象情報を要求しているかを統合通信ＩＤ提供サーバーＩＣＩＤＳが認識できるようにするのが良い。
例えば、移動通信端末Ａ１〜Ａｎを介してあるユーザーが特定ユーザーの移動通信端末Ｂ１〜Ｂｎとの呼接続を望む場合、接続対象機器が移動通信端末であることを統合通信ＩＤ提供サーバーＩＣＩＤＳにより認識できる固有番号が統合通信ＩＤの前端に入力される。したがって、提供した番号により迅速な通信接続が可能になる。
【００３４】
図２ａは本発明の第１実施形態に係る統合通信ＩＤ提供システムに登録された通信ＩＤ別ディレクトリ情報を示すテーブルの図である。
これを参照すれば、統合通信ＩＤ提供サーバーＩＣＩＤＳのＤＢに構築された統合通信ＩＤとその統合通信ＩＤ別ディレクトリ情報は図２に示すようになっている。統合通信ＩＤ提供サーバーＩＣＩＤＳは各種通信機器の間に位置して、単一の固有統合通信ＩＤを介して容易に当該統合通信ＩＤを有するユーザーの各種通信機器に接続できるようになる。
このために、統合通信ＩＤ提供サーバーＩＣＩＤＳの第２データベースＤＢ２には複数のテーブルの図１０が格納されており、データを発生する通信機器（例えば、移動通信端末、有線電話端末、ＰＣ．．．など）によってその通信機器が最初接続する中継装置（例えば、各種中継サーバー、中継機、ルートサーバーなど）には、統合通信ＩＤ提供サーバーＩＣＩＤＳが接続されている。
【００３５】
したがって、テーブルの図１０には統合通信ＩＤ提供サーバーＩＣＩＤＳで既に与えた統合通信ＩＤ（例えば、Ｐｉｎｅｔｒｅｅ、１００４  Ｐｉｎｅｔｒｅｅ、＊ｈｏｎｇｇｉｌｄｏｎｇ＊．．．など、１２）を基準としてディレクトリ情報が分類されて登録されている。この時、統合通信ＩＤ１２はハングル（韓国文字）はもちろん、英文字、数字、特殊文字、画像データ、動映像データが全て含まれてユーザーの選択によって自由に構成できる。また、一種のドメインのように登録順序別に既登録された他のユーザーの統合通信ＩＤ１２が、登録しようとする統合通信ＩＤ１２と重複しているかを検索した後、登録を望む統合通信ＩＤ１２が他のユーザーの統合通信ＩＤと重複しない固有なものであれば、登録することができる。
【００３６】
一つの統合通信ＩＤ１２はユーザーの希望によって各種通信対象別に登録されるディレクトリ情報を有する。そのディレクトリ情報は携帯電話情報（１４、例えば、０１１−１２３−４５６７）、家の電話番号（１６、例えば、０２−１２３−４５６７）、職場の電話番号（１８、例えば、０２−１２３−８９１０）、ホームページ情報（２０、例えば、ｗｗｗ．ｈｏｎｇｄｏｎｇ．ｃｏ．ｋｒ）、電子メールｌ情報（２２、例えば、ｈｏｎｇｄｏｎｇ＠ｍａｉｌｓ．ｎｅｔ）及び、車両番号、子女の実名、ペット犬の番号、子女の画像情報．．．などが登録可能である。
この時、統合通信ＩＤ１２の下位情報であるディレクトリ情報は各通信機器別に固有な番号が与えられなければならない。例えば、携帯電話情報は１番、家の電話番号は２番、職場の電話番号は３番、ホームページは４番、電子メールは５番などのように規定できる。
また、統合通信ＩＤ１２を基準として登録されたディレクトリ情報をユーザーの希望によって公開または非公開にすることができ、特定情報だけを非公開にすることもできる。
各ディレクトリ情報に固有数字を与える理由は、発信者が受信者と迅速に接続したり、発信者が要求する情報だけを迅速に提供するためである。例えば、発信者が移動通信端末Ａ１〜Ａｎを利用して「Ｐｉｎｅｔｒｅｅ」という統合通信ＩＤを有する受信者のホームページ情報を統合通信ＩＤ提供サーバーＩＣＩＤＳに要求する場合、発信者は「４Ｐｉｎｅｔｒｅｅ」を統合通信ＩＤ提供サーバーＩＣＩＤＳに伝送する。
それによって、統合通信ＩＤ提供サーバーＩＣＩＤＳは第２データベースＤＢ２の情報のうち、統合通信ＩＤ（例えば、Ｐｉｎｅｔｒｅｅ）をまずスキャンし、当該統合通信ＩＤ（例えば、Ｐｉｎｅｔｒｅｅ）のディレクトリ情報のうち、「４」に対応するホームページ情報を読み取って当該発信地の移動通信端末Ａ１〜Ａｎに伝送するようになる。この時、各アクセス対象を特徴する固有数字（例えば、１、２、３、４、５．．．）は数字のみに限定されるものではなく、多様な特殊文字、一般文字なども全て含まれる。
【００３７】
図２ｂは本発明の第１実施形態に係る統合通信ＩＤ提供システムに登録された通信ＩＤ別基本ディレクトリ情報の設定状態を示す図面である。
これを参照すれば、統合通信ＩＤ提供サーバーＩＣＩＤＳの第２データベースＤＢ２には複数のテーブルの図１０が格納されており、データを発生する通信機器（例えば、移動通信端末、有線電話端末、ＰＣ．．．など）によってその通信機器が最初接続する中継装置（例えば、各種中継サーバー、中継機、ルートサーバーなど）に統合通信ＩＤ提供サーバーＩＣＩＤＳが接続されている。
この時、統合通信ＩＤ提供サーバーＩＣＩＤＳには、ユーザーが自分に予め与えられた統合通信ＩＤ（例えば、Ｐｉｎｅｔｒｅｅ、１２）に対して連結可能な各通信機器（例えば、移動通信端末、有線電話端末、ＰＣ．．．など）のうち、いずれかの通信機器（例えば、自宅の有線電話）を基本受信のための通信機器として情報を設定することができる。
すなわち、ある特定ユーザーが移動通信端末Ａ１〜ＡｎやＰＣ（不図示）を利用して統合通信ＩＤ提供サーバーＩＣＩＤＳに接続して、受信を望む基本通信機器を設定できる。例えば、当該ユーザーが自宅の有線電話を基本通信機器として設定した場合は、当該ユーザーがＰＣや移動通信端末Ａ１〜Ａｎを利用して統合通信ＩＤ提供サーバーＩＣＩＤＳに接続して自分の基本通信機器情報を確認することができる。
また、不特定第３者が移動通信端末Ａ１〜Ａｎやその他の通信機器を利用して特定ユーザー、例えば統合通信ＩＤが「Ｐｉｎｅｔｒｅｅ」であるユーザーとの通話を望む場合は、その不特定第３者は自分の移動通信端末Ａ１〜Ａｎに受信者の統合通信ＩＤの「Ｐｉｎｅｔｒｅｅ」だけを入力して通話ボタン３２を操作する。
それによって、統合通信ＩＤ提供サーバーＩＣＩＤＳは当該「Ｐｉｎｅｔｒｅｅ」という統合通信ＩＤを既登録されたユーザーの電話番号が何であるかをスキャンする。この時、統合通信ＩＤ提供サーバーＩＣＩＤＳは、当該受信ユーザーが基本通信機器を登録したかを判断して、当該ユーザーが基本通信機器で自宅電話（例えば、０２−１２３−４５６７）を登録した場合は、当該電話番号データを抽出して呼接続を行う。インテリジェントネットワークを介して統合通信ＩＤ提供サーバーＩＣＩＤＳから電話番号を抽出し、呼接続のトライアルを行う過程に対する説明は後述する。
【００３８】
本発明において、発信者が受信者の統合通信ＩＤ（例えば、Ｐｉｎｅｔｒｅｅ）を入力しなければならず、当該統合通信ＩＤを利用して連結可能な多様な通信機器の中でいずれかの通信機器を指定する通信機器選択情報を統合通信ＩＤ提供サーバーＩＣＩＤＳに伝送した場合、統合通信ＩＤ提供サーバーＩＣＩＤＳは当該発信者が特定統合通信ＩＤを有する受信者のどの通信機器と連結させるかを認知して呼接続を行うようになる。しかし、本発明においては、前述した方式のように基本通信機器に対する設定を受信者が統合通信ＩＤ提供サーバーＩＣＩＤＳに登録できるので、発信者は受信者と通話しようとする目的を達成することができ、受信者は自分の状況を最大に反映していずれかの通信機器（例えば、自宅電話）を希望に従って集中的に利用することができる。
前述の方式において、受信者が基本として設定した通信機器（例えば、自宅電話）以外に、他の通信機器に対する不特定第３者のアクセス可能にすることもでき、またはアクセスできないようにすることもできる。すなわち、受信者は自分の統合通信ＩＤ（例えば、Ｐｉｎｅｔｒｅｅ）を利用して、不特定第３者が通話やその他のデータ通信のための接続のトライアルを行う場合、基本として設定した通信機器（例えば、自宅電話）だけでアクセスできるようにし、その他の通信機器へのアクセスはできないように遮断することができ、それとは異なり、発信者がいずれかの特定通信機器（例えば、移動通信端末）を受信者の統合通信ＩＤ（例えば、Ｐｉｎｅｔｒｅｅ）と共に選択してアクセスのトライアルを行う場合、アクセスできるように開放させておくこともできる。
【００３９】
図３は、本発明の第１実施形態に係る統合通信ＩＤ提供システムのデータの流れを示すデータの図である。
これを参照すれば、本発明の第１実施形態に係る統合通信ＩＤ提供システムで統合通信ＩＤ提供サーバーＩＣＩＤＳは、データを発生する通信機器（例えば、移動通信端末、有線電話端末、ＰＣ．．．など）によって、その通信機器が最初接続する中継装置（例えば、各種中継サーバー、中継機、ルートサーバーなど）に統合通信ＩＤ提供サーバーＩＣＩＤＳが接続されている。図３は移動通信端末Ａ１〜Ａｎと他の移動通信端末Ｂ１〜Ｂｎとの間に統合通信ＩＤ提供サーバーＩＣＩＤＳが存在して、通信接続ルートを指定するデータの流れの一例を示す図面である。
【００４０】
まず、ある移動通信端末Ｂ１〜Ｂｎのユーザーが統合通信ＩＤ提供サーバーＩＣＩＤＳに接続して予め「Ｐｉｎｅｔｒｅｅ」という統合通信ＩＤを登録しておき、移動通信サーバーＭＣＳに対して統合通信ＩＤ提供サーバーＩＣＩＤＳの第２データベースＤＢ２を開放しておいた状態で、他のユーザーが移動通信端末Ａ１〜Ａｎを利用して「１Ｐｉｎｅｔｒｅｅ」を入力窓３０で文字を入力した後、通話ボタン３２を操作する。
それによって、当該ユーザーの移動通信端末Ａ１〜Ａｎから当該移動通信端末の番号と「１Ｐｉｎｅｔｒｅｅ」という文字が移動通信サーバーＭＣＳに伝送される。この時、通話ボタンが操作されたので、移動通信サーバーＭＣＳは当該移動通信端末Ａ１〜Ａｎから第３者に呼接続を要求する信号であると判断し、「１Ｐｉｎｅｔｒｅｅ」がどの通信社の番号であるかをスキャンする。
「１Ｐｉｎｅｔｒｅｅ」が通信社ＤＢに存在しないため、スキャンが不可能であれば、公開された統合通信ＩＤ提供サーバーＩＣＩＤＳの第２データベースＤＢ２を順次にスキャンするようになる。ここで、統合通信ＩＤ提供サーバーＩＣＩＤＳは「１」という数字が統合通信ＩＤのディレクトリ情報に含まれた移動通信端末であると判断すると共に、「Ｐｉｎｅｔｒｅｅ」が統合通信ＩＤであると判断するようにプログラムされている。
したがって、統合通信ＩＤ提供サーバーＩＣＩＤＳは当該ＤＢから「Ｐｉｎｅｔｒｅｅ」と格納された統合通信ＩＤのテーブルのうち、移動通信端末の番号（例えば、０１１−１２３−４５６７）を抽出して移動通信サーバーＭＣＳに提供する。
移動通信サーバーＭＣＳは発信者の移動通信端末Ａ１〜Ａｎと当該「０１１−１２３−４５６７」の番号を有する移動通信端末Ｂ１〜Ｂｎが呼接続できるようにする。
このようなデータの図の流れは、但し統合通信ＩＤ提供サーバーＩＣＩＤＳが通信機器と中継機との間に存在して、特定統合通信ＩＤの下位情報である複数の通信機器アクセス番号や情報のうち、中継機が望む番号を抽出して提供する一例を示すものである。但し「１」が移動通信機器の情報要求を表す代わりに、その約定によって多様な形態で各通信機器を特定することもできる。
【００４１】
図４は、本発明の第１実施形態に係る統合通信ＩＤ提供システムの他のデータの流れを示すデータの図である。
これを参照すれば、本発明の第１実施形態に係る統合通信ＩＤ提供システムにおいて、統合通信ＩＤ提供サーバーＩＣＩＤＳはデータを発生する通信機器（例えば、移動通信端末、有線電話端末、ＰＣ．．．など）によってその通信機器が最初接続する中継装置（例えば、各種中継サーバー、中継機、ルートサーバーなど）に統合通信ＩＤ提供サーバーＩＣＩＤＳが接続されていて、ユーザーが移動通信端末Ａ１〜Ａｎの同一な入力窓で統合通信ＩＤと短文を同時に入力して伝送できるようにする。したがって、図４は移動通信端末Ａ１〜Ａｎと他の移動通信端末Ｂ１〜Ｂｎとの間に統合通信ＩＤ提供サーバーＩＣＩＤＳが存在して、通信接続ルートの指定及び短文の伝送を行うデータの流れの一例を示すものである。
【００４２】
まず、ある移動通信端末Ｂ１〜Ｂｎのユーザーが統合通信ＩＤ提供サーバーＩＣＩＤＳに接続して予め「Ｐｉｎｅｔｒｅｅ」という統合通信ＩＤを登録しておき、移動通信サーバーＭＣＳに対して統合通信ＩＤ提供サーバーＩＣＩＤＳの第２データベースＤＢ２を開放しておいた状態で、他のユーザーが移動通信端末Ａ１〜Ａｎを利用して「１Ｐｉｎｅｔｒｅｅ」という統合通信ＩＤと、「＊今日雪が降る。窓の外を見なさい」という文章を同一な入力窓３６で入力した後、確認ボタン３８を操作する。
そうすると、当該ユーザーの移動通信端末Ａ１〜Ａｎから当該移動通信端末の番号と「１Ｐｉｎｅｔｒｅｅ」という統合通信ＩＤ及び「＊今日雪が降る。窓の外を見なさい」という文章を移動通信サーバーＭＣＳに伝送するように移動通信端末Ａ１〜Ａｎに予めプログラムする。この時、特殊文字の「＊」は文章の開始であることを表す約定であり、文章の開始を表す特殊文字は「＊」に限らないし、多様な特殊文字及び数字、記号などを使うことができる。
そして、移動通信サーバーＭＣＳは当該移動通信端末Ａ１〜Ａｎから第３者にデータ伝送を要求する信号であると判断し、「１Ｐｉｎｅｔｒｅｅ」がある通信社の番号であるかをスキャンする。
「１Ｐｉｎｅｔｒｅｅ」が通信社ＤＢに存在しないため、スキャン不可能であれば、公開された統合通信ＩＤ提供サーバーＩＣＩＤＳの第２データベースＤＢ２を順次にスキャンするようになる。ここで、統合通信ＩＤ提供サーバーＩＣＩＤＳは「１」という数字が統合通信ＩＤのディレクトリ情報に含まれた移動通信端末であると判断すると共に、「Ｐｉｎｅｔｒｅｅ」が統合通信ＩＤであると判断するようにプログラムされている。
したがって、統合通信ＩＤ提供サーバーＩＣＩＤＳは当該ＤＢから「Ｐｉｎｅｔｒｅｅ」と格納された統合通信ＩＤのテーブルのうち、移動通信端末の番号（例えば、０１１−１２３−４５６７）を抽出する。同時に、文章の開始を表す「＊」を認知して短文伝送のための要求であると判断して、受信者の「０１１−１２３−４５６７」番号に短文「今日雪が降る。窓の外を見なさい」を伝送するというデータを移動通信サーバーＭＣＳに提供する。
移動通信サーバーＭＣＳは当該「０１１−１２３−４５６７」の番号を有する移動通信端末Ｂ１〜Ｂｎに当該ショートメッセージが伝送できるようにデータ伝送処理を行う。
特に、最近のようにショートメッセージサービス（ＳＭＳ）を爆発的に利用している実情においては、前述の方式で同一の入力窓で受信者の通信機器を表す特定文字を入力すると共に、その受信者に伝送する文章を入力できるので、非常に便利である。
【００４３】
一方、統合通信ＩＤ提供サーバーＩＣＩＤＳは、ユーザーに固有に与えられた統合通信ＩＤの下位情報である各種接続可能な通信情報及び電子メール、ホームページ、車両番号．．．などのうち、ユーザーの公開意思によって公開した情報を不特定第３者に提供するため、一種の１１４サービスのような統合情報通知サービス（ＩＰＳ）を行うことができる。従来の有線電話の番号提供サービスは、有線電話情報のみに限定されていたが、本発明では統合通信ＩＤ提供サーバーＩＣＩＤＳから与えられた統合通信ＩＤを中心に多様な通信情報及び付加情報がＤＢに格納された状態であるので、ユーザーの公開意思によって不特定第３者は当該情報の全部、またはその一部を受け取ることができる。これに対する詳細な説明は後述する。
【００４４】
次に、前述した構成を有する本発明の第１実施形態に係る統合通信ＩＤ提供システムの機能と作用について添付図面を参照して詳細に説明する。
図５ａ〜５ｅは、本発明の第１実施形態に係る統合通信ＩＤ提供システムの信号流れを示すフローチャートである。
図５ａは、本発明の第１実施形態に係る統合通信ＩＤ提供システムの統合通信ＩＤ提供サーバーＩＣＩＤＳを介して固有に与えられた統合通信ＩＤ附与ステップと、その統合通信ＩＤに関連する下位情報であるディレクトリ情報の登録及び修正手順を説明するためのフローチャートである。
【００４５】
まず、統合通信ＩＤ提供サーバーＩＣＩＤＳは複数のユーザーから順次に統合通信ＩＤ登録を受け取る。この時、統合通信ＩＤは一種のドメインのように固有に与えられて当該統合通信ＩＤが移動通信端末や有線電話機、その他の通信機器及びホームページ、車両番号、電子メールなどを特定できるようにする。
したがって、ユーザーはＰＣや移動通信端末Ａ１〜Ａｎ、Ｂ１〜Ｂｎを介して統合通信ＩＤ提供サーバーＩＣＩＤＳに接続した状態で、登録を望む統合通信ＩＤ（例えば、Ｐｉｎｅｔｒｅｅ）が既登録されていているかを検索した後、登録申請を行うようになる。
ユーザーが特定の統合通信ＩＤを登録した場合は、ユーザーの公開希望によるディレクトリ情報を登録できる。この時、各ディレクトリ情報は、その通信機器によって特定番号が与えられるようになる。これによって統合通信ＩＤ提供サーバーＩＣＩＤＳは当該特定番号を介して発信者が受信者のある通信機器に接続を望むかを判断できるようになる。例えば、発信者が移動通信端末Ａ１〜Ａｎを利用して受信者の個人ホームページに接続を望む場合は、「４Ｐｉｎｅｔｒｅｅ」を入力して接続のトライアルを行うようになる。この時、接続のトライアルを行うための呼び出しデータのパターンは、通信機器を特定する文字と受信者の統合通信ＩＤからなる。
ユーザーは統合通信ＩＤ提供サーバーＩＣＩＤＳに接続してリアルタイムで自分が予め登録したディレクトリ情報を修正できる。すなわち、家の電話番号を登録したが、それを修正したいと思えば、ユーザーはＰＣや移動通信端末Ａ１〜Ａｎを介して統合通信ＩＤ提供サーバーＩＣＩＤＳに接続して家の電話番号公開を取消すことができる。
【００４６】
図５ｂは、本発明の第１実施形態に係る統合通信ＩＤ提供システムの統合通信ＩＤ提供サーバーＩＣＩＤＳを介して受信者の固有に与えられた統合通信ＩＤを介して呼接続のトライアルを行う手順を示すフローチャートである。
まず、複数のユーザーが予め統合通信ＩＤ提供サーバーＩＣＩＤＳに接続して固有な統合通信ＩＤを登録した状態で、あるユーザーが移動通信端末Ａ１〜Ａｎを利用して「１Ｐｉｎｅｔｒｅｅ」の文字を入力してから、通話ボタンを操作する。
そうすると、当該ユーザーの移動通信端末Ａ１〜Ａｎから当該移動通信端末の番号と統合通信ＩＤ（例えば、１Ｐｉｎｅｔｒｅｅ）が移動通信サーバーＭＣＳに伝送される。この時、通話ボタンが操作されたので、移動通信サーバーＭＣＳは当該移動通信端末Ａ１〜Ａｎから第３者に呼接続を要求する信号であると判断し、その統合通信ＩＤ（例えば、１Ｐｉｎｅｔｒｅｅ）がどの通信社の番号であるかをスキャンする。
その統合通信ＩＤ（１Ｐｉｎｅｔｒｅｅ）が各通信社ＤＢに存在しないため、スキャン不可能であれば、移動通信サーバーＭＣＳは公開された統合通信ＩＤ提供サーバーＩＣＩＤＳの第２データベースＤＢ２を順次にスキャンするようになる。この時、統合通信ＩＤ提供サーバーＩＣＩＤＳは「１」という数字が統合通信ＩＤのディレクトリ情報に含まれた移動通信端末であることを判断すると共に、「Ｐｉｎｅｔｒｅｅ」が統合通信ＩＤであると判断するようにプログラムされている。
したがって、統合通信ＩＤ提供サーバーＩＣＩＤＳは当該ＤＢから当該統合通信ＩＤ（Ｐｉｎｅｔｒｅｅ）をスキャンして、その統合通信ＩＤ（Ｐｉｎｅｔｒｅｅ）のテーブルのうち、移動通信端末の番号（例えば、０１１−１２３−４５６７）を抽出して移動通信サーバーＭＣＳに提供する。
移動通信サーバーＭＣＳは発信者の移動通信端末Ａ１〜Ａｎと当該「０１１−１２３−４５６７」の番号を有する移動通信端末Ｂ１〜Ｂｎが呼接続できるようにする。
【００４７】
図５ｃは、本発明の第１実施形態に係る統合通信ＩＤ提供システムにおいて、統合通信ＩＤ提供サーバーＩＣＩＤＳがデータを発生する通信機器（例えば、移動通信端末、有線電話端末、ＰＣ．．．など）によってその通信機器が最初接続する中継装置（例えば、各種中継サーバー、中継機、ルートサーバーなど）に統合通信ＩＤ提供サーバーＩＣＩＤＳが接続されており、ユーザーが移動通信端末Ａ１〜Ａｎの同一な入力窓で統合通信ＩＤと短文を同時に入力して伝送できるようにする手順を示すフローチャートである。
まず、ある移動通信端末Ｂ１〜Ｂｎのユーザーが統合通信ＩＤ提供サーバーＩＣＩＤＳに接続して予め「Ｐｉｎｅｔｒｅｅ」という統合通信ＩＤを登録しておき、移動通信サーバーＭＣＳに対しては統合通信ＩＤ提供サーバーＩＣＩＤＳが第２データベースＤＢ２を開放しておいた状態で、他のユーザーが移動通信端末Ａ１〜Ａｎを利用して特定統合通信ＩＤ（例えば、１Ｐｉｎｅｔｒｅｅ）と、特定文章（例えば、＊今日雪が降る。窓の外を見なさい）を同一な入力窓で入力した後、確認ボタンを操作して当該文字を伝送できる。
統合通信ＩＤと文章の入力が完了すれば、当該ユーザーの移動通信端末Ａ１〜Ａｎから当該移動通信端末の番号と統合通信ＩＤ（例えば、１Ｐｉｎｅｔｒｅｅ）及び伝送文章（例えば、＊今日雪が降る。窓の外を見なさい）が移動通信サーバーＭＣＳに伝送されるように移動通信端末Ａ１〜Ａｎに予めプログラムされている。この時、特殊文字の「＊」は文章の開始であることを表す約定で、文章の開始を表す特殊文字の「＊」は限らなく、多様な特殊文字及び数字、記号などを使うことができる。
そうすると、移動通信サーバーＭＣＳは当該移動通信端末Ａ１〜Ａｎから第３者にデータ伝送を要求する信号であると判断し、統合通信ＩＤ（１Ｐｉｎｅｔｒｅｅ）がどの通信社の番号であるかをスキャンする。
その統合通信ＩＤ（１Ｐｉｎｅｔｒｅｅ）が通信社ＤＢに存在しないため、スキャン不可能であれば、公開された統合通信ＩＤ提供サーバーＩＣＩＤＳの第２データベースＤＢ２を順次にスキャンするようになる。統合通信ＩＤ提供サーバーＩＣＩＤＳは「１」という数字が統合通信ＩＤのディレクトリ情報に含まれた移動通信端末であることを判断すると共に、「Ｐｉｎｅｔｒｅｅ」が統合通信ＩＤであると判断するようにプログラムされている。
したがって、統合通信ＩＤ提供サーバーＩＣＩＤＳは当該ＤＢから「Ｐｉｎｅｔｒｅｅ」と格納された統合通信ＩＤのテーブルのうち、移動通信端末の番号（例えば、０１１−１２３−４５６７）を抽出する。それと同時に、文章の開始を表す「＊」を認知して短文伝送のための要求であると判断して、受信者の「０１１−１２３−４５６７」番号に短文「今日雪が降る。窓の外を見なさい」を伝送するというデータを移動通信サーバーＭＣＳに提供する。
移動通信サーバーＭＣＳは当該「０１１−１２３−４５６７」の番号を有する移動通信端末Ｂ１〜Ｂｎに当該ショートメッセージが伝送できるようにデータの伝送処理を行う。
【００４８】
本発明の第１実施形態に係る統合通信ＩＤ提供システムおいては、統合通信ＩＤ提供サーバーＩＣＩＤＳに登録された統合通信ＩＤをリアルタイムで再登録できる。統合通信ＩＤの再登録や変更は電話番号が変わることと同様である。したがって、図５ｄは、このような統合通信ＩＤの変更状態を指定した特定人に文字メッセージで通知する手順を示すフローチャートである。
まず、ある移動通信端末Ｂ１〜Ｂｎのユーザーが統合通信ＩＤ提供サーバーＩＣＩＤＳに接続して予め「Ｐｉｎｅｔｒｅｅ」という統合通信ＩＤを登録しておき、移動通信サーバーＭＣＳに対しては統合通信ＩＤ提供サーバーＩＣＩＤＳが第２データベースＤＢ２を開放しておいた状態で、その統合通信ＩＤを他の統合通信ＩＤに変更しようとする新しい統合通信ＩＤを入力し、その既登録の可否を統合通信ＩＤ提供サーバーＩＣＩＤＳに要請すれば、統合通信ＩＤ提供サーバーＩＣＩＤＳは当該統合通信ＩＤが既登録されているかを検索する。
仮りに、当該統合通信ＩＤが既登録されていないものであれば、当該統合通信ＩＤを第２データベースＤＢ２に登録する。この時、移動通信端末Ａ１〜Ａｎから通信ＩＤ変更通知サービスの申請信号が伝送されると、予め登録した複数の登録者の人員情報をユーザーに通知する。次に、その確認信号が伝送されると、統合通信ＩＤ提供サーバーＩＣＩＤＳは各登録者に当該ユーザーの統合通信ＩＤ変更情報を通知するようになる。
また、統合通信ＩＤ提供サーバーＩＣＩＤＳは複数のユーザーが移動通信端末や、有線電話機、ＰＣなどを介して接続して不特定第３者の各種接続可能な通信情報及び電子メール、ホームページ、車両番号．．．などのうち、ユーザーの公開意思によって公開した情報を不特定第３者に提供するため、一種の１１４サービスのような統合情報通知サービスＩＰＳを行うことができる。
【００４９】
本発明の実施形態によれば、統合通信ＩＤ提供サーバーＩＣＩＤＳは既に与えられた統合通信ＩＤを中心に多様な通信情報及び付加情報がＤＢに格納された状態であるので、ユーザーの公開意思によって不特定第３者は当該情報の全部、またはその一部を受け取ることができるようになる。
【００５０】
図５ｅは、本発明の第１実施形態に係る統合通信ＩＤ提供システムの統合通信ＩＤ提供サーバーＩＣＩＤＳを介して固有に与えられた統合通信ＩＤにより接続可能な各種通信機器ディレクトリ情報を登録／公開／非公開で選択するステップ及び特定ユーザーのディレクトリ情報を検索するステップを説明するためのフローチャートである。
まず、複数の不特定ユーザーは統合通信ＩＤ提供サーバーＩＣＩＤＳに接続して統合通信ＩＤの登録申請を行うようになる。この時、統合通信ＩＤは一種のドメインのように固有に与えられて当該統合通信ＩＤが移動通信端末や有線電話機、その他の通信機器及びホームページ、車両番号、電子メールなどを特定するように登録できる。
統合通信ＩＤ提供サーバーＩＣＩＤＳは有線／無線通信サーバーのインテリジェントネットワークサーバーと接続されて有線／無線通信サーバーで要求する統合通信ＩＤの実際の通信機器番号情報を抽出して提供することによって、単一の統合通信ＩＤを利用して特定ユーザーの多様な通信機器に自由で便利に接続できるようになる。
この時、ユーザーは統合通信ＩＤ提供サーバーＩＣＩＤＳへの接続において、インターネット網を介したウェブ接続や、移動通信端末Ａ１〜Ａｎを介した無線ウェブ網接続により統合通信ＩＤ提供サーバーＩＣＩＤＳに接続して統合通信ＩＤに対する登録申請及び重複可否の検索、当該統合通信ＩＤにリンクされる複数の通信機器番号の登録及び修正などの処理を行うようになる。
そうすると、統合通信ＩＤ提供サーバーＩＣＩＤＳは当該統合通信ＩＤ別通信機器ディレクトリ情報をＤＢに登録処理し、更新や修正した情報はデータ更新の処理を行う。
また、ユーザーは自分の統合通信ＩＤにリンクされて統合通信ＩＤ提供サーバーＩＣＩＤＳのＤＢに登録されている複数の通信機器情報を自由に公開とするか、または非公開として統合通信ＩＤ提供サーバーＩＣＩＤＳのウェブページ上で選択して登録することができる。更に、実際の通信機器番号は公開せず、接続可能／接続不能などのように接続可能状態の情報だけを公開することもできる。
統合通信ＩＤ提供サーバーＩＣＩＤＳは前述したように、ユーザーの選択によるディレクトリ情報を登録し、その公開可否に対する登録処理を行う。
【００５１】
一方、統合通信ＩＤ提供サーバーＩＣＩＤＳに特定ユーザーが既登録された統合通信ＩＤ別ディレクトリ情報の公開情報を他のユーザーが確認することができる。そのために、統合通信ＩＤ提供サーバーＩＣＩＤＳは、関連情報を提供することによって、不特定第３者が統合通信ＩＤ提供サーバーＩＣＩＤＳに接続して検索しようとする特定統合通信ＩＤを入力して当該ＩＤのディレクトリ情報の公開可否を検索できるようにする。
そうすると、統合通信ＩＤ提供サーバーＩＣＩＤＳは検索対象者の統合通信ＩＤにリンクされたディレクトリ情報の公開可否に対する情報または公開されたディレクトリ情報を当該検索要求者の移動通信端末Ａ１〜ＡｎまたはＰＣに伝送する。
この時、その検索要求者が当該検索対象者の統合通信ＩＤのディレクトリ情報に開示された特定通信機器に接続を望む場合、その検索要求者は統合通信ＩＤ提供サーバーＩＣＩＤＳに接続を望む統合通信ＩＤ及び通信機器表示情報（例えば、携帯電話、事務室電話、自宅電話．．．などを特定する情報）を伝送する。
そうすると、統合通信ＩＤ提供サーバーＩＣＩＤＳは当該検索要求者の移動通信端末Ａ１〜Ａｎと検索対象者の特定統合通信ＩＤの所望通信機器との呼接続を行って、呼接続できるようにする。すなわち、統合通信ＩＤ提供サーバーＩＣＩＤＳは移動通信サーバーや有線中継サーバーのインテリジェントネットワークに当該統合通信ＩＤの実際の電話番号を伝送することによって、呼接続が行われるようにする。
【００５２】
図６ａ〜図６ｄは、本発明の第１実施形態に係る統合通信ＩＤ提供システムのネットワーク構成を詳細に示すネットワーク構成図である。図６ａは通話路の中継網を介した呼接続ネックワーク構成を示す図面である。
これを参照すれば、本発明の第１実施形態に係る統合通信ＩＤ提供システムは移動通信端末の間、移動通信端末と有線電話端末との間、移動通信端末と固有ＵＲＬを有する遠隔サービスサーバーとの間、及び移動通信端末とファックス端末との間などのネットワーク構成が可能である。すなわち、本発明は多様な端末と端末との間、またはサーバーとの間に格納されて固有な単一の統合通信ＩＤを利用して簡単に目標通信機器の端末またはサーバー、ファックスなどの通信機器に接続できるようになる。
このようなネットワークはインテリジェントネットワークで構成することが好ましい。インテリジェントネットワークとは、電話ネックワークアーキテクチャーのうちの一つとして、別途のスイッチング装備を新規に構成しなくても、新規サービスを追加したり、既存のサービスを変更できるようにサービスロジックの生成や管理などを別途のシステムから提供する概念を有するネットワークである。この場合、ネットワーク自体の構成上の変化を最少化しながら、ユーザーが感じるサービス品質は最上に維持できる。
したがって、このようなインテリジェントネットワークを利用した電話ネットワークを用いて、本発明においては端末から発生した信号に対する定義及びその信号の解析と変換が可能な体系を構築できる。
【００５３】
本発明のネットワークは図６ａに示すような構成を有する。すなわち、図１の移動通信網に適用することができ、有線通信網にもこれと同一ないし類似に適用することができる。図６ａは、本発明のネットワーク構成の一例だけを示すために、移動通信網１００と有線通信網２００に適用した例を示す図面である。
移動通信端末Ａ１〜Ａｎから発生される呼接続要求信号を認知するために移動通信網１００には各地域別に一定半径の無線網を構築するための基地局１０２、１０４、１０６．．．が備わっていて、その基地局１０２、１０４、１０６．．．を介して供給された呼接続要求信号に基づいて信号を解析するための交換器１０８、１１０．．．が備わる。交換器１０８、１１０．．．には移動通信端末Ａ１〜Ａｎから発生した信号を解析するための信号解析機（Ｄｉａｌ  Ｔｏｎｅ  Ｒｅｃｅｉｖｅｒ）が内装されている。
【００５４】
最近は０８０、１５８８、７００などの各種付加電話サービスを提供するためにインテリジェントネットワーク交換器１１２、１１４．．．を更に備えており、各付加サービスに対する接続データを格納するデータベースＤＢ５、ＤＢ６は、そのインテリジェントネットワーク交換器１１２、１１４．．．に設けられる。信号解析機は数字基盤からなった解析機であるため、呼接続信号もやはり数字基盤からなる必要があるので、ドメインのような文字基盤の交換器システムを構築するのは非常に難しい。
しかしながら、特定通信機器に接続するための基盤が数字基盤である場合、移動通信端末Ａ１〜Ａｎ及び有線端末Ｃ１〜Ｃｎ、各種サーバーに呼接続できるように与えられるＩＤや番号は、数字基盤でなければならないので、その会社の特徴や個人の個性を表すことが不可能である。したがって、ドメインのような認識や表示機能を接続番号が表すのもやはり不可能になる。
【００５５】
反面に、本発明においては、文字、数字基盤で多様な呼接続対象の通信機器に選択的に接続できるように単一のユーザーや単一の企業、単一の組織を中心に固有の統合通信ＩＤを提供し、その統合通信ＩＤを利用して呼接続のトライアルを行うことができるようにネットワークを構成する。
また、有線端末Ｃ１〜Ｃｎの場合、地域別に有線端末Ｃ１〜Ｃｎを統合する市内交換器２０６、２０８、２１０．．．を備え、その市内交換器２０６、２０８、２１０．．．に接続できるように各都別や行政区域別に区別されるように統合した市外交換器２０２、２０４．．．を備える。一方、無線通信網１００と有線通信網２００を接続させる接続交換器３００．．．が備われている。
【００５６】
本発明においては、統合通信ＩＤ提供サーバーＩＣＩＤＳがインテリジェントネットワーク交換器１１２、１１４．．．に接続されており、統合通信ＩＤに対する接続データ及びその統合通信ＩＤを利用して多様な呼接続対象の通信機器（サーバー、ファックス、有線／無線端末．．．など）に接続できるよう、各統合通信ＩＤ別接続データがデータベースＤＢ２に格納される。統合通信ＩＤ提供サーバーＩＣＩＤＳの接続データは、移動通信端末Ａ１〜Ａｎや有線端末Ｃ１〜Ｃｎで変換した接続コードが受信されて、その接続コードが特定する電話番号である。統合通信ＩＤ提供サーバーＩＣＩＤＳは呼接続しようとする電話番号データを抽出してインテリジェントネットワーク交換器１１２、１１４．．．に伝送するようになる。
また、本発明における移動通信端末Ａ１〜Ａｎ及び有線端末（文字入力可能な有線端末、Ｃ１〜Ｃｎの内部には呼接続のための信号データ、すなわち文字または数字の統合通信ＩＤを既設定されたコードに変換させるためのコード変換アルゴリズム（ＣＥＸＡ）が備わっている。コードは数字で構成されている。すなわち、コード変換アルゴリズム（ＣＥＸＡ）は従来の交換器１０８、１１０、．．．が数字基盤であるので、解析可能な数字コードに変換させるためのものである。交換器１０８、１１０、．．．が今後文字認識が可能な基盤に変更される場合は、このようなコード変換アルゴリズム（ＣＥＸＡ）は不要である。本発明は文字を利用して特定通信機器及び遠隔サーバーにアクセスしたり、一方路を介してデータを伝送するものなので、交換器１０８、１１０．．．が文字を認識できる基盤である場合も、このような本発明の要旨を離脱しない限り本発明の範疇内に含まれる。
【００５７】
したがって、図６ａのように移動通信端末Ａ１〜Ａｎを介してユーザーが統合通信ＩＤで「Ｐｉｎｅｔｒｅｅ００」を入力すると、移動通信端末Ａ１〜Ａｎは当該統合通信ＩＤ（例えば、Ｐｉｎｅｔｒｅｅ００）を予め格納されたコード変換アルゴリズム（ＣＥＸＡ））により数字からなる特定接続コード（例えば、１４５６８９００）に変換させる。ここで「Ｐｉｎｅｔｒｅｅ００」のうち、「００」は移動通信端末Ａ１〜Ａｎを表す通信機器コードと予め約定したものであり、全体コードの桁数はコードをどのように構成するかということと、全体統合通信ＩＤが与えられたユーザーの総人数によって異なり得る。したがって、「Ｐｉｎｅｔｒｅｅ００」だけを入力したユーザーは、移動通信端末Ａ１〜Ａｎとの接続のトライアルを行う途中であると認識できる。
変換された接続コード（例えば、１４５６８９００）が基地局（例えば、１０２）を経て、交換器（例えば、１０８）に伝送されると、交換器１０８は当該接続コード（例えば、１４５６８９００）をインテリジェントネットワーク交換器（例えば、１１２）に伝送する。そうすると、インテリジェントネットワーク交換器１１２はその接続コード（１４５６８９００）に対するデータベース（例えば、ＤＢ５）の検索を行う。この時、当該接続コード（１４５６８９００）に対するデータベースＤＢ５が検索されなければ、統合通信ＩＤ提供サーバーＩＣＩＤＳに当該接続コード１４５６８９００に対する質疑を行う（図における黒い矢印の進行方向）。
そうすると、統合通信ＩＤ提供サーバーＩＣＩＤＳは当該接続コード（１４５６８９００）に対するデータベースＤＢ２の検索を行う。当該接続コード（１４５６８９００）に対する実際の電話番号が０１１−１２３−４５６７である場合、統合通信ＩＤ提供サーバーＩＣＩＤＳはその接続コード（１４５６８９００）と共に実際の電話番号をインテリジェントネットワーク交換器１１２に伝送し、そのインテリジェントネットワーク交換器１１２は対応する番号を処理する交換器（例えば１１０）及び基地局（例えば、１０６）を介して呼接続のトライアルを行う。また、基地局１０２及び交換器１０８とインテリジェントネットワーク交換器１１２を介した発信者の接続コード（例えば、５４６７８９００）は、呼接続時データパケットに含んで伝送したり、または呼接続後、別途に伝送する（図における白い矢印の進行方向）。
それによって、特定移動通信端末（例えば、Ａ１）（例えば、Ａｎ）間に呼接続が行われて、受信側移動通信端末Ａｎは呼接続時伝送される接続コード（５４６７８９００）をコード変換アルゴリズム（ＣＥＸＡ）により文字発信者統合通信ＩＤ（例えば、ｈｏｎｇｇｉｌｄｏｎｇ００）に変換して画面出力する。
この時、統合通信ＩＤ提供サーバーＩＣＩＤＳは接続コード（例えば、５４６７８９００）に付加的に既登録された文字を含ませて受信側移動通信端末Ａｎに伝送できる。（例えば、既登録された文字が「２１Ｃの創造的企業、ｈｏｎｇｇｉｌｄｏｎｇ株式会社」とすれば、受信側移動通信端末Ａｎには統合通信ＩＤの「ｈｏｎｇｇｉｌｄｏｎｇ００」が出力されることはもちろん、伝送された文字の「２１Ｃの創造的企業、Ｈｏｎｇｇｉｌｄｏｎｇ株式会社」が共に画面出力されるようになる。
もちろん、統合通信ＩＤ提供サーバーＩＣＩＤＳに既登録された文字もやはり接続コード（例えば、２１３４５４５５６６７７８５３４３２４５５）で登録されている。また、ユーザーの登録可否によって追加語句の外にも企業のロゴなどを呼接続の後に別途に伝送することもできる。コード変換アルゴリズム（ＣＥＸＡ）に対する体系は図８ａ、８ｂ、８ｃを参照して後述する。
【００５８】
一方、本発明に係る統合通信ＩＤ提供システムにおいて、移動通信端末Ａ１〜Ａｎを介して有線端末Ｃ１〜Ｃｎに呼接続のトライアルを行う場合、移動通信端末Ａ１〜Ａｎを介してユーザーが統合通信ＩＤで「Ｐｉｎｅｔｒｅｅ１１」を入力すると、移動通信端末Ａ１〜Ａｎは当該統合通信ＩＤ（例えば、Ｐｉｎｅｔｒｅｅ１１）を予め格納されたコード変換アルゴリズム（ＣＥＸＡ）により数字からなる特定接続コード（例えば、１４５６８９１１）に変換させる。ここで「Ｐｉｎｅｔｒｅｅ１１」のうち、「１１」は有線端末Ｃ１〜Ｃｎを表す通信機器コードと予め約定したのである。したがって、「Ｐｉｎｅｔｒｅｅ１１」だけを入力したユーザーは有線端末Ｃ１〜Ｃｎとの接続のトライアルを行う中であると認識できる。
変換された接続コード（例えば、１４５６８９１１）を基地局（例えば、１０２）を経て交換器（例えば、１０８）に伝送すれば、交換器１０８は当該接続コード（例えば、１４５６８９１１）をインテリジェントネットワーク交換器（例えば、１１２）に伝送する。そうすると、インテリジェントネットワーク交換器１１２はその接続コード１４５６８９１１に対するデータベース（例えば、ＤＢ５）の検索を行う。この時、当該接続コード１４５６８９１１に対するデータベースＤＢ５が検索されなければ、統合通信ＩＤ提供サーバーＩＣＩＤＳに当該接続コード１４５６８９１１に対する質疑を行う（図における黒い矢印の進行方向）。
そうすると、統合通信ＩＤ提供サーバーＩＣＩＤＳは当該接続コード１４５６８９１１に対するデータベースＤＢ２の検索を行う。当該接続コード１４５６８９１１に対する実際の電話番号が０２−１２３−４５６７である場合、統合通信ＩＤ提供サーバーＩＣＩＤＳはその接続コード（１４５６８９１１）と共に実際の電話番号をインテリジェントネットワーク交換器１１２に伝送し、そのインテリジェントネットワーク交換器１１２は有線網に接続するための接続交換器３００を介して有線網に接続して、対応する電話番号（例えば、０２−１２３−４５６７）を処理する市外交換器（例えば、２０２）及び市内交換器（例えば、２０６）を介して呼接続のトライアルを行う。また、基地局１０２及び交換器１０８とインテリジェントネットワーク交換器１１２を介して発信者の接続コード（例えば、５４６７８９００）は、呼接続時データパケットに含んで伝送されたり、呼接続の後別途に伝送されるようになる（図における点線矢印の進行方向）。
それによって、特定移動通信端末（例えば、Ａ１）（例えば、Ａｎ）間に呼接続が行われ、受信側有線端末（例えば、Ｃ１）は呼接続時伝送される接続コード（５４６７８９００）をコード変換アルゴリズム（ＣＥＸＡ）により文字（例えば、ｈｏｎｇｇｉｌｄｏｎｇ００）に変換して画面出力する。当然、有線端末のうち、発信者の文字が表示されない端末には発信者統合通信ＩＤが画面出力されない。
【００５９】
図６ａで記述する基地局１０２、１０４、１０６．．．及び交換器１０８、１１０．．．、インテリジェントネットワーク交換器１１２、１１４．．．は、本発明において移動通信サーバーＭＣＳと通称して記述し、接続交換器３００．．．、市外交換器２０２、２０４．．．及び、市内交換器２０６、２０８、２１０．．．は有線中継サーバーＷＩＳと通称して記述することを予め明らかにする。
また、統合通信ＩＤ提供サーバーＩＣＩＤＳやその統合通信ＩＤ提供サーバーＩＣＩＤＳ内のデータベースＤＢ２は、インテリジェントネットワーク交換器１１２、１１４．．．に内装することもできる。
【００６０】
図６ｂは無線データ送受信サーバーＷＤＴＳを主要構成とする呼接続ネックワーク構成を示す図面である。
これを参照すれば、本発明の第１実施形態に係る統合通信ＩＤ提供システムにおけるもう一つの形態の接続体系は、無線データ送受信サーバーＷＤＴＳを利用して特定統合通信ＩＤに対する実際の電話番号の１次的検索及びその検索結果に基づいた２次的呼接続を利用した通信体系である。
前述した方式の統合通信ＩＤ提供システムでは、移動通信端末Ａ１〜Ａｎで別途の信号変換が不要であり、端末から発生した信号に対する定義及びその信号の解析と変換が最少化される。
また、このようなシステムは移動通信網１００で各移動通信端末Ａ１〜Ａｎ間、またはその移動通信網１００から有線通信網２００への呼接続時に有用なシステムである。
【００６１】
図６ｂに示すシステム構造はユーザーが移動通信端末Ａ１〜Ａｎを介して統合通信ＩＤで「Ｐｉｎｅｔｒｅｅ００」を入力すると、移動通信交換器１０８を介して無線データ送／受信サーバーＷＤＴＳに自動接続するようにプログラムされている。すなわち、本発明に係る移動通信端末Ａ１〜Ａｎの統合通信モード（例えば、Ｍｕｌｔｉ−Ｃｏｍｍｕｎｉｃａｔｉｏｎ  Ｍoｄｅ）をユーザーが選択すると、自動に特定無線ＩＰを有する無線データ送／受信サーバーＷＤＴＳに自動接続されるように、その移動通信端末Ａ１〜Ａｎにプログラムされている。
無線データ送／受信サーバーＷＤＴＳへの自動接続は、特定統合通信ＩＤを有する特定通信機器に接続するために行い、一般無線インターネット接続の場合は、他の無線インターネット接続モードを利用して接続する。
したがって、本発明の第１実施形態で開示した無線データ送／受信サーバーＷＤＴＳにおいては、ある特定移動通信端末Ａ１〜Ａｎを利用して特定の統合通信ＩＤを伝送すると、当該統合通信ＩＤのディレクトリ情報の通信機器番号を抽出してその移動通信端末（例えば、Ａ１）と呼接続しようとする移動通信端末（例えば、Ａ４）を呼接続させる。この時、特定統合通信ＩＤ別通信機器番号情報は、その無線データ送／受信サーバーＷＤＴＳに接続された統合通信ＩＤ提供サーバーＩＣＩＤＳに質疑して応答を受け取る。
呼接続の場合は直接呼接続と、ショートメッセージ伝送を介した間接呼接続方法がある。それぞれの場合について、図６ｃと図６ｄを参照して説明する。
【００６２】
図６ｃは直接呼接続のネットワーク構造を有する構成で、無線データ送／受信サーバーＷＤＴＳは、ある特定移動通信端末Ａ１〜Ａｎを利用して特定の統合通信ＩＤが伝送されると、無線データ送／受信サーバーＷＤＴＳと接続された統合通信ＩＤ提供サーバーＩＣＩＤＳに当該統合通信ＩＤを質疑して元の通信機器の電話番号を受け取る。（例えば、不特定ユーザーが無線データ送／受信サーバーＷＤＴＳに自動接続されて、接続が維持された状態で特定統合通信ＩＤ（例えば、「Ｐｉｎｅｔｒｅｅ」）に対する移動通信端末の番号を要求する場合は、無線データ送／受信サーバーＷＤＴＳは統合通信ＩＤ提供サーバーＩＣＩＤＳに当該統合通信ＩＤ（例えば、「Ｐｉｎｅｔｒｅｅ」）に対する電話番号を質疑する。
それによって、統合通信ＩＤ提供サーバーＩＣＩＤＳは当該統合通信ＩＤ（例えば、「Ｐｉｎｅｔｒｅｅ」）に対する電話番号（例えば、０１１−１２３−４５６７）をＤＢから抽出して交換器１０８に提供し、これを無線データ送／受信サーバーＷＤＴＳに通知して当該ユーザーの移動通信端末（例えば、Ａ１）との無線インターネット接続を切断する。
それと同時に、交換器１０８は当該ユーザーの移動通信端末Ａ１）番号情報と、検索された統合通信ＩＤの電話番号（例えば、０１１−１２３−４５６７）をそれぞれ強制呼接続させる。
この場合、発信ユーザーの移動通信端末Ａ１は無線データ送／受信サーバーＷＤＴＳに対する無線インターネット接続ＤＡTＡが切断されると共に、通話路ＣＡLLが開放されて通話が可能になる。
【００６３】
図６ｄは間接呼接続のネットワーク構造を有する構成である。無線データ送／受信サーバーＷＤＴＳは、ある特定移動通信端末Ａ１〜Ａｎを利用して特定の統合通信ＩＤが伝送されると、無線データ送／受信サーバーＷＤＴＳと接続された統合通信ＩＤ提供サーバーＩＣＩＤＳに当該統合通信ＩＤを質疑して元の通信機器の電話番号を受け取る。（例えば、不特定ユーザーが無線データ送／受信サーバーＷＤＴＳに自動接続されて、接続が維持された状態で特定統合通信ＩＤ（例えば、「Ｐｉｎｅｔｒｅｅ」）に対する移動通信端末の番号を要求する場合は、無線データ送／受信サーバーＷＤＴＳは統合通信ＩＤ提供サーバーＩＣＩＤＳに当該統合通信ＩＤ（例えば、「Ｐｉｎｅｔｒｅｅ」）に対する電話番号を質疑する。
それによって、統合通信ＩＤ提供サーバーＩＣＩＤＳは当該統合通信ＩＤ（例えば、「Ｐｉｎｅｔｒｅｅ」）に対する電話番号（例えば、０１１−１２３−４５６７）をＤＢから抽出し、交換器１０８）や統合通信ＩＤ提供サーバーＩＣＩＤＳの中いずれかに位置されたショートメッセージ伝送サーバーＳＭＳＳを介して当該ユーザーの移動通信端末Ａ１に電話番号情報を伝送する。
それと同時に、これを無線データ送／受信サーバーＷＤＴＳに通知して当該ユーザーの移動通信端末（例えば、Ａ１）との無線インターネット接続を切断する。電話番号情報を伝送された当該ユーザーはその移動通信端末Ａ１に伝送された電話番号に対して通話ボタンを操作して呼接続のトライアルを行う。
【００６４】
図７ａ、７ｂは本発明の第１実施形態に係る統合通信ＩＤ提供システムで有線／無線端末の発生信号を示す図面である。
これを参照すれば、現在有線／無線端末のキーボード配列を代表するプッシュボタンＰＢの発生信号に対して記述する。現在の有線／無線網を構成する電話ネットワークでＰＢ信号は４４信号方式を使用する。この４４信号方式は低群と高群周波数などのように複数の周波数を使用する。これはダイヤル信号の雑音により交換器１０８、１１０．．．で不正確に受信されることを防止するためのものである。
低群周波数は６９７、７７０、８５２、９４１Ｈｚから構成され、高群周波数は１２０９、１３３６、１４４７、１６３３Ｈｚから構成される。また、「＊」と「＃」は機能ボタンとして使用し、低群周波数６９７、７７０、８５２、９４１Ｈｚと高群周波数１６３３Ｈｚからなる行は予備列である。
したがって、図７ｂに示すようにユーザーが「４」ボタンと「２」ボタンをそれぞれクリックすると、有線端末Ｃ１〜Ｃｎは１２０９、７７０Ｈｚと１３３６、６９７Ｈｚを発生させる。無線端末もこれと同一な方式で周波数を発生させる。
【００６５】
図８ａ、８ｂ、８ｃは本発明の第１実施形態に係る統合通信ＩＤ提供システムにおける信号解析ステップを示す図面である。
図８ａ、８ｂ、８ｃは本発明の第１実施形態に係る統合通信ＩＤ提供システムで移動通信端末Ａ１〜Ａｎや有線端末Ｃ１〜Ｃｎ、コンピュータ端末ＰＣ１〜ＰＣｎなどの発信通信機器にそれぞれインストールされたコード変換アルゴリズム（ＣＥＸＡ）によるコード変換及びその伝送データを示す図面である。コード変換アルゴリズム（ＣＥＸＡ）は各種自国語（本発明では韓国語、英文に対して例示。）及び数字基盤で複数方法でコード体系を定義する。本発明で例示したコード体系は一例だけを例示したが、本発明の要旨内に含まれる他のコード体系もやはり本発明の権利範囲に含まれる。
【００６６】
図８ａに示す文字−コード変換体系は、韓国の文字における各子音と母音別に特定コードの数字を予め与えて、子音と母音からなる文字をコード組み合わせに変換して送出する方式である。
例えば、コード変換アルゴリズム（ＣＥＸＡ）は、その内部の子音群
【数１】
2006506919.tif 000003
をそれぞれ「１０、１１、１３、１４．．．」と規定し、母音群
【数２】
2006506919.tif 000004
をそれぞれ「３０、３１、３２、３３．．．」と規定したと仮定すると、ユーザーが入力した
【数３】
2006506919.tif 000005
に対する文字を自動に「１７３４１１３０１５３６」の接続コードに変換させる。
変換された接続コードは図７ａ及び図７ｂに示すように、その接続コードに対応する「１７３４１１３０１５３６」に合う周波数を発生させる。すなわち、１は[１２０９Ｈｚ、６９７Ｈｚ]、７は[１２０９Ｈｚ、９４１Ｈｚ]、３は[１４４７Ｈｚ、６９７Ｈｚ]、４は[１２０９Ｈｚ、７７０Ｈｚ] ．．．の周波数を発生させる。
このように変換された周波数は交換器１０８、１１０．．．及びインテリジェントネットワーク交換器１１２、１１４４．．．を介してまた接続コード（１７３４１１３０１５３６）に変換されて、統合通信ＩＤ提供サーバーＩＣＩＤＳに伝送され、統合通信ＩＤ提供サーバーＩＣＩＤＳはその接続コード（１７３４１１３０１５３６）の実際の電話番号をデータベースＤＢ２で抽出してインテリジェントネットワーク交換器１１２、１１４．．．及び交換器１０８、１１０．．．に伝送して呼接続を行えるようにする。
したがって、統合通信ＩＤ提供サーバーＩＣＩＤＳは統合通信ＩＤを受け取って登録し、その統合通信ＩＤに対する接続コードと、その接続コードに対する実際の電話番号をそれぞれ予め登録する手順を進行する。
【００６７】
一方、図８ｂに示す文字−コード変換体系は各組み合わせ文字別に特定コードの数字コードを予め与えて各文字別に対応する接続コードに変換して送出する方式である。
例えば、コード変換アルゴリズム（ＣＥＸＡ）はその内部に各組み合わせ文字別にコードを与えるところ、「▲ホン▼（ｈｏｎｇ）」という文字を「１５３０」のコードと、「▲ギル▼（ｇｉｌ）」という文字は「１７５０」のコードと、「▲ドン▼（ｄｏｎｇ）」という文字は「１１２０」と規定したと仮定すると、ユーザーが入力した統合通信ＩＤの「ｈｏｎｇｇｉｌｄｏｎｇ」に対する文字を自動に「１５３０１７５０１１２０」の接続コードに変換させる。
変換された接続コードは図７ａ及び図７ｂに示すように、その接続コードに対応する「１５３０１７５０１１２０」に合う周波数を発生させる。すなわち、１は[１２０９Ｈｚ、６９７Ｈｚ]、５は[１３３６Ｈｚ、７７０Ｈｚ]、３は[１４４７Ｈｚ、６９７Ｈｚ]、０は[１３３６Ｈｚ、９４１Ｈｚ] ．．．の周波数を発生させる。
このように変換された周波数は交換器１０８、１１０．．．及びインテリジェントネットワーク交換器１１２、１１４４．．．を介してまた接続コード（１５３０１７５０１１２０）に変換されて、統合通信ＩＤ提供サーバーＩＣＩＤＳに伝送され、統合通信ＩＤ提供サーバーＩＣＩＤＳはその接続コード（１５３０１７５０１１２０）の実際の電話番号をデータベースＤＢ２で抽出してインテリジェントネットワーク交換器１１２、１１４．．．及び交換器１０８、１１０．．．に伝送して呼接続を行うことができるようにする。
したがって、統合通信ＩＤ提供サーバーＩＣＩＤＳは統合通信ＩＤを受け取って登録させ、その統合通信ＩＤに対する接続コードと、その接続コードに対する実際の電話番号をそれぞれ予め登録する過程が必要する。
【００６８】
一方、図８ｃに示す文字−コード変換体系は、英文基盤下で可能になる文字−コード変換体系の一例を示すもので、各英文スペリング別に特定コードの数字コードを予め与えて各スペリング別に対応する接続コードに変換して送出する方式である。
例えば、コード変換アルゴリズム（ＣＥＸＡ）はその内部に各英文スペリング別にコードを与える。ここで、「Ａ」という文字を「１３２」のコードと、「Ｂ」という文字は「１４３」のコードと、「Ｃ」という文字は「１６７」と、「Ｄ」という文字は「２５８」というコードと規定したと仮定すると、ユーザーが入力した統合通信ＩＤの「ＡＢＣ」に対する文字を自動に「１３２１４３１６７」の接続コードに変換させる。
変換された接続コードは図７ａ及び図７ｂに示すように、その接続コードに対応する「１３２１４３１６７」に合う周波数を発生させる。すなわち、１は[１２０９Ｈｚ、６９７Ｈｚ]、３は[１４４７Ｈｚ、６９７Ｈｚ]、２は[１３３６Ｈｚ、６９７Ｈｚ]、１は[１２０９Ｈｚ、６９７Ｈｚ]、４は[１２０９Ｈｚ、６７９Ｈｚ]
．．．の周波数を発生させる。
このように変換された周波数は交換器１０８、１１０．．．及びインテリジェントネットワーク交換器１１２、１１４４・・・を介してまた接続コード（１３２１４３１６７）に変換され、統合通信ＩＤ提供サーバーＩＣＩＤＳに伝送されて、統合通信ＩＤ提供サーバーＩＣＩＤＳはその接続コード（１３２１４３１６７）の実際の電話番号をデータベースＤＢ２で抽出してインテリジェントネットワーク交換器１１２、１１４．．．及び交換器１０８、１１０．．．に伝送して呼接続を行えるようにする。
したがって、統合通信ＩＤ提供サーバーＩＣＩＤＳは統合通信ＩＤを受け取って登録させて、その統合通信ＩＤに対する接続コードと、その接続コードに対する実際の電話番号をそれぞれ予め登録する過程が必要である。
【００６９】
また、図示しなかったが、無線ウェブ網を介したＵＲＬ−コード変換体系も同一な方式で行うことができる。（例えば、ＵＲＬが「ＡＢＣ＠ｍｓｎ．ｃｏｍ」と仮定すると、図８ｃに示す英文−コード変換体系を利用してユーザーが移動通信端末Ａ１〜Ａｎに「ＡＢＣ＠ｍｓｎ．ｃｏｍ」と入力してもその伝送時、接続コード（１３２１４３１６７．．．）に自動変換されて当該サーバーに接続できるようになる。
もちろん、この時、「＠」のような特殊文字や、「．ｃｏｍ」のような文字は特殊な数字を与えてコード体系を構築すると、より簡単にできる。例えば、「＠」は「００」で与えて英文には「００」というコードを与えないようにすることができ、ＩＳＰ業者名である「ｍｓｎ、．．．"も本発明の英文−コード変換体系を利用して構築する。
また、最上位ドメインの「．ｃｏｍ、．ｎｅｔ、．．．」の場合には総２００余個の最上位ドメインが存在するので、コードを与えることによって最上位ドメインであることが分かるようになる。すなわち、ＵＲＬに対する接続コードへの変換及び変換された接続コードを利用した実際ＩＰアドレスの抽出は、最後端の３桁数字組み合わせを最上位ドメインで認識して分離させて、「＠」を表す「００」とその最上位ドメインとの間に位置する数字をＩＳＰ業者のコードで認識して、「００」の前端数字をドメインで認識するようにＵＲＬ−接続コード変換体系を構築することが好ましい。
【００７０】
本発明は固有な単一の統合通信ＩＤを与えてこのようなＵＲＬ、有線／無線電話番号、ファックス番号、電子メールアドレスなどその他の情報を統合通信ＩＤ提供サーバーＩＣＩＤＳにデータベース化し、非常に容易に接続できるようにするシステムである。したがって、本発明では統合通信ＩＤが「▲ホンギルドン▼（ｈｏｎｇｇｉｌｄｏｎｇ）」であり、そのユーザーのＵＲＬが「ＡＢＣ＠ｍｓｎ．ｃｏｍ"の場合に、「▲ホンギルドン▼（ｈｏｎｇｇｉｌｄｏｎｇ）」に対する接続コード（例えば、１５３０１７５０１１２０）がデータベースに格納されていることは言うまでもなく、そのＵＲＬの接続コード（例えば、１３２１４３１６７００１４５２６３１９７）が格納されている。
そして、移動通信端末Ａ１〜ＡｎにはＵＲＬを表す特定数字をその統合通信ＩＤに更に付加して構成できる。例えば、ＵＲＬを表す特定数字が「９９９」と仮定して、そのコード変換アルゴリズム（ＣＥＸＡ）が移動通信端末Ａ１〜Ａｎにインストールされていると、ユーザーが移動通信端末Ａ１〜Ａｎを介して特定統合通信ＩＤの「▲ホンギルドン９９９▼（ｈｏｎｇｇｉｌｄｏｎｇ９９９）」を入力する。
そうすると、統合通信ＩＤの「▲ホンギルドン▼（ｈｏｎｇｇｉｌｄｏｎｇ）」が既約定された接続コード（例えば、１５３０１７５０１１２０）に変換されて、ＵＲＬを表す「９９９」の数字が組み合わさって単一の接続コード（例えば、１５３０１７５０１１２０９９９）を生成する。
その接続コード（例えば、１５３０１７５０１１２０９９９）は、統合通信ＩＤ提供サーバーＩＣＩＤＳに伝送されて当該接続コードと関連するように既格納された実際のＵＲＬを抽出し、当該ＵＲＬのＩＰアドレスに接続されるようになる。一方、統合通信ＩＤ提供サーバーＩＣＩＤＳに各接続コード別に格納されたＵＲＬの代わりにＩＰアドレスが格納されるようにすることができる。
前述の方法によって、ユーザーは接続しようとする電話番号、ファックス番号、ＵＲＬ．．．などをその都度記憶しなくても、非常に容易に当該接続対象機器やサーバーなどに接続できるので便利であり、特に無線網を利用したサーバーの接続などに非常に実用的に使われることができる。
【００７１】
一方、このようなＵＲＬ−接続コード変換体系はその一例を示すもので、前述の方式は移動通信端末Ａ１〜Ａｎを介して直接ＵＲＬを入力しても接続できるようにＵＲＬ−接続コード変換体系を構築することも十分に可能である。
【００７２】
以下、本発明の第２実施形態に対して図面を参照して詳細に記述する。
図９は本発明の第２実施形態に係る統合通信ＩＤ提供システムで提供する多様な統合通信ＩＤ及びそのデータグループでの電話番号の抽出状態を示す模式図である。
これを参照すれば、本発明の第２実施形態に係る統合通信ＩＤ提供システムは、ドメインのように重複が不可能に与えられる基本統合通信ＩＤと、あるユーザーを中心に特定するように登録できて重複可能な関係型統合通信ＩＤ（=友人統合通信ＩＤ）と、商業的用途として与える地域単位のローカル統合通信ＩＤを与える。
基本統合通信ＩＤは第１実施形態で既説明したとおり、ドメインのように重複が不可能に与えられるＩＤとして、多様な通信機器を単一の基本統合通信ＩＤに登録して不特定第３者が選択的に特定通信機器に接続できるようにするための統合通信ＩＤである。あるユーザーは多様な基本統合通信ＩＤを所有できるが、ドメインと同じで各基本統合通信ＩＤの重複は不可能である。
関係型統合通信ＩＤ（別名、友人統合通信ＩＤ）は、あるユーザーの統合通信ＩＤを中心に当該ユーザーと関係を有する複数の他のユーザーに与えられることによって当該ユーザー間の関係でだけ通用する統合通信ＩＤとして、当該ユーザーグループにおいては重複が許容されないが、他のユーザーグループにいずれかの関係型統合通信ＩＤが存在しても他のユーザーグループでは重複して通用できる。（例えば、Ａユーザーのグループに「妻」という関係型統合通信ＩＤが存在すると仮定する時、Ｂユーザーのグループにも「妻」という関係型統合通信ＩＤが通用できる。こういう関係型統合通信ＩＤは基本統合通信ＩＤを中心に設定登録できる。
関係型統合通信ＩＤ（別名、友人統合通信ＩＤ）は望む統合通信ＩＤを所有したいユーザーや、重複して使われるしかない統合通信ＩＤを多数グループで自由に使用できるようにするためのものである。すなわち、「妻」、「夫」、「父」などの通用が広範囲なＩＤや、「王女」、「天使」などの選り好み統合通信ＩＤの場合に特定ユーザーを中心に当該ユーザーとそのユーザーに登録されたその他の関係型ユーザーに限ってのみ当該関係型統合通信ＩＤが使えるのである。
このために、移動通信端末Ａ１〜Ａｎには基本統合通信ＩＤモードなのか、関係型統合通信ＩＤなのか、ローカル統合通信ＩＤなのかを表す別途のモード選択信号を発生して、そのモード選択信号を統合通信ＩＤ提供サーバーＩＣＩＤＳが認知して呼接続要求に対する処理を行うようになる。
ローカル統合通信ＩＤは、商業的用途で使用するための統合通信ＩＤで、「中華料理店」、「韓食」、「夜食」などのように各地域別に重複可能で、商業的用途として不特定複数のユーザーがアクセスできるように与えた統合通信ＩＤを表すものである。このようなローカル統合通信ＩＤは、商品の販売を中心にする業者や企業主に与えられるもので、ユーザーが当該ローカル統合通信ＩＤに接続のトライアルを行うと、当該ユーザーの位置を判断して最短距離に位置されたローカル統合通信ＩＤへの呼接続を実行する。
したがって、発信ユーザーの移動通信端末Ａ１〜Ａｎは、ローカル統合通信ＩＤ接続モードであることを表す別途の信号を発生して、これを統合通信ＩＤ提供サーバーＩＣＩＤＳが認知して呼接続要求に対する処理を行うようになる。
このために、統合通信ＩＤ提供サーバーＩＣＩＤＳの通信ディレクトリ情報データベース構造は、図９に示すように友人統合通信ＩＤデータグループ３００と、ローカル統合通信ＩＤデータグループ３２０が基本統合通信ＩＤデータグループ３１０と連動されるように構成されている。
【００７３】
図１０は、本発明の第２実施形態に係る統合通信ＩＤ提供システムで提供する基本統合通信ＩＤと関係型統合通信ＩＤを利用した呼接続状態を示す状態図である。
これを参照すれば、図１０は関係型統合通信ＩＤへの接続状態を例示するための図面として、（例えば、どの発信ユーザーの基本統合通信ＩＤが「Ｐｉｎｅｔｒｅｅ」であり、接続しようとする基本統合通信ＩＤが「Ｚｚａｎｇｇａ」の場合は、その発信ユーザー（Ｐｉｎｅｔｒｅｅ）がその接続しようとするユーザー（Ｚｚａｎｇｇａ）を「妻」という関係型統合通信ＩＤで統合通信ＩＤ提供サーバーＩＣＩＤＳに登録しておいた後、その発信ユーザー（Ｐｉｎｅｔｒｅｅ）が移動通信端末Ａ１を利用して基本統合通信ＩＤ接続モードでは「Ｚｚａｎｇｇａ」という統合通信ＩＤを入力すれば、統合通信ＩＤ提供サーバーＩＣＩＤＳでその接続情報の「Ｚｚａｎｇｇａ」という統合通信ＩＤを基本統合通信ＩＤデータグループ３１０から検索して元来の電話番号（例えば、０１１−１２３−４５６７）を抽出して呼接続させる。
また、その発信ユーザー（Ｐｉｎｅｔｒｅｅ）が移動通信端末Ａ１を利用して関係型統合通信ＩＤ接続モードでは「妻」という統合通信ＩＤを入力すれば、統合通信ＩＤ提供サーバーＩＣＩＤＳでその接続情報の「妻」という統合通信ＩＤを友人統合通信ＩＤデータグループ３００から検索し、元来の電話番号（例えば、０１１−１２３−４５６７）を抽出して呼接続させる。
前述したように、他の発信ユーザー（Rａｂｂit）がその接続しようとするユーザー（Ｇｏｍｄｏｒｉ）を「妻」という関係型統合通信ＩＤで統合通信ＩＤ提供サーバーＩＣＩＤＳに登録しておいた後、その発信ユーザーＲａｂｂｉｔが移動通信端末Ａ２を利用して、関係型統合通信ＩＤ接続モードでは「妻」という統合通信ＩＤを入力すれば、統合通信ＩＤ提供サーバーＩＣＩＤＳでその接続情報の「妻」という統合通信ＩＤを友人統合通信ＩＤデータグループ３００から検索し、元来の電話番号（例えば、０１１−１２３−８９０１）を抽出して呼接続させる。
【００７４】
図１１は、本発明の第２実施形態に係る統合通信ＩＤ提供システムのローカル統合通信ＩＤを利用した呼接続ネットワーク構成を詳細に示すネットワーク構成図である。
これを参照すれば、本発明の第２実施形態に係る統合通信ＩＤ提供システムはローカル統合通信ＩＤが格納された移動通信端末の間、移動通信端末と有線電話端末との間、移動通信端末と固有ＵＲＬを有する遠隔サービスサーバーとの間、移動通信端末とファックス端末との間などのネットワークを構成する。
図１１は本発明のネットワーク構成の一例だけを示すために移動通信網１００と有線通信網２００で適用された例を示すものである。
移動通信端末Ａ１〜Ａｎから発生する呼接続要求信号を認知するために、移動通信網１００には各地域別に一定半径の無線網を構築するための基地局１０２、１０４、１０６．．．が備わっていて、その基地局１０２、１０４、１０６．．．を介して供給された呼接続要求信号に基づいて信号を解析するための交換器１０８、１１０．．．が備わっている。交換器１０８、１１０．．．は移動通信端末Ａ１〜Ａｎから発生した信号を解析するための信号解析機を備える。
最近では、０８０、１５８８、７００などの各種付加電話サービスを提供するためにインテリジェントネットワーク交換器１１２、１１４．．．が更に付加されていて、各付加サービスに対する接続データを格納するデータベースＤＢ５、ＤＢ６が、そのインテリジェントネットワーク交換器１１２、１１４．．．に設けられる。信号解析機は数字基盤からなる解析機である。
また、有線端末Ｃ１〜Ｃｎの場合、地域別に有線端末Ｃ１〜Ｃｎを統合する市内交換器２０６、２０８、２１０．．．を備え、その市内交換器２０６、２０８、２１０．．．に接続できるように各道別や行政区域別に区別されるように統合された市外交換器２０２、２０４．．．を備える。一方、無線通信網１００と有線通信網２００を接続させる接続交換器３００．．．が備わっている。
【００７５】
本発明は、統合通信ＩＤ提供サーバーＩＣＩＤＳがインテリジェントネットワーク交換器１１２、１１４．．．に接続されていて、統合通信ＩＤに対する接続データ及びその統合通信ＩＤを利用して多様な呼接続対象の通信機器（サーバー、ファックス、有線／無線端末．．．など）に接続できるように、各ローカル統合通信ＩＤ別接続データが基本統合通信ＩＤが格納されたデータベースと連動されるように別途に構成されているローカル統合通信ＩＤデータベースＤＢ−Ｌｏｃａｌが構築される。
また、本発明は、発信ユーザーの移動通信端末Ａ１〜Ａｎを介して呼接続を最初に発生する基地局１０２、１０４、１０６．．．の位置を交換器１０８、１１０またはインテリジェントネットワーク交換器１１２が認知して、その位置情報を利用して統合通信ＩＤ提供サーバーＩＣＩＤＳが当該ローカル統合通信ＩＤを所有したユーザーのうち、最短距離に位置したユーザーに呼接続を行えるようにする。
【００７６】
図１２は、本発明の第２実施形態に係る統合通信ＩＤ提供システムのローカル統合通信ＩＤを利用した呼接続状態を示す状態図である。
これを参照すれば、本発明の第２実施形態に係る統合通信ＩＤ提供システムは、好ましく商業的用途で、複数のユーザーが各行政区域単位（例えば、市、都、県）を境界として予め特定のローカル統合通信ＩＤを申請して与えられ、他の地域Ｌｏｃａｌ−Ａ、Ｌｏｃａｌ−Ｂ、Ｌｏｃａｌ−Ｃに同一なローカル統合通信ＩＤ（例えば、Ｃａｋｅ）が与えられたユーザー（事業者）が各地域別に一人ずつ存在すると仮定する。
この時、そのようなローカル統合通信ＩＤが与えられたユーザーに商品を注文するために、ある不特定ユーザーが移動通信端末（例えば、Ａ１）のローカル統合通信ＩＤモードで「Ｃａｋｅ」というローカル統合通信ＩＤを入力すると、その情報を基地局及び交換器を介して統合通信ＩＤ提供サーバーＩＣＩＤＳが提供を受ける。同時に、統合通信ＩＤ提供サーバーＩＣＩＤＳは交換器から当該発信地域の基地局位置情報を提供されたり、その移動通信端末Ａ１内部のGPＳチップを利用して移動通信端末Ａ１の位置情報を受け取る。
当該ユーザーの位置が把握された状態で、統合通信ＩＤ提供サーバーＩＣＩＤＳは当該ユーザーの位置が対応する地域範囲内の「Ｃａｋｅ」というローカル統合通信ＩＤを有した所有者の電話番号をデータベースで抽出し、またその電話番号情報をユーザーの移動通信端末Ａ１に伝送して呼接続させる。
ローカル統合通信ＩＤは商業的用途で使用するための統合通信ＩＤとして、「中華料理店」、「韓食」、「夜食」などのように各地域別に重複可能だが、当該地域単位内では同一なローカル統合通信ＩＤが重複することができない。
【００７７】
以下、本発明の第３実施形態に対して図面を参照して詳細に記述する。
図１３は、本発明の第３実施形態に係る統合通信ＩＤ提供システムのネットワーク構成を詳細に示すネットワーク構成図である。
これを参照すれば、本発明の第３実施形態に係る統合通信ＩＤ提供システムは移動通信端末の間、移動通信端末と有線電話端末との間、移動通信端末と固有ＵＲＬを有する遠隔サービスサーバーとの間、移動通信端末とファックス端末との間などのネットワーク構成が可能なところ、多様な端末と端末との間、またはサーバーの間に格納され、固有な単一の統合通信ＩＤを利用して簡単に目標通信機器の端末またはサーバー、ファックスなどの通信機器に接続できるようになる。
ネットワークはインテリジェントネットワークで構成されるようにするが、インテリジェントネットワークというのは電話ネックワークアーキテクチャーの中の一つで、別途のスイッチング装備を新規で構成しないながらも、新規サービスを追加したり既存のサービスを変更できるようにサービスロジックの生成と管理などを別途のシステムから提供する概念を有するネットワークである。この場合、ネットワーク自体の構成変化は最小化されながらも、ユーザーが感じるサービス品質は最上に維持できるようになる。
したがって、このようなインテリジェントネットワークを利用した電話ネットワークは、本発明で端末から発生した信号に対する定義及びその信号の解析と変換を可能にする体系を構築できるようにする。
【００７８】
本発明のネットワーク構成は図１３に示す通りである。すなわち、図１の移動通信網にも適用されることができ、有線通信網でもこれと同一ないし似たように適用される。図９は、本発明のネットワーク構成の一例だけを表すために、移動通信網１００と有線通信網２００で適用された例を示すものであり、音声呼接続を詳細に表すための一例である。
移動通信端末Ａ１〜Ａｎから発生される呼接続要求信号を認知するために、移動通信網１００には各地域別に一定半径の無線網を構築するための基地局１０２、１０４、１０６．．．が備わっていて、その基地局１０２、１０４、１０６．．．を介して供給された呼接続要求信号に基づいて信号を解析するための交換器１０８、１１０．．．が備わる。交換器１０８、１１０．．．は移動通信端末Ａ１〜Ａｎから発生した信号を解析するための信号解析機を備える。
【００７９】
最近では０８０、１５８８、７００などの各種付加電話サービスを提供するためにインテリジェントネットワーク交換器１１２、１１４．．．が付加されていて、各付加サービスに対する接続データを格納するデータベースＤＢ５、ＤＢ６がそのインテリジェントネットワーク交換器１１２、１１４．．．に設けられる。信号解析機は数字基盤からなる解析機であるから、呼接続信号もやはり数字基盤からならなければならない。したがって、本発明は音声呼接続のために移動通信端末Ａ１〜Ａｎや有線端末Ｃ１〜Ｃｎに別途に付加された音声呼接続用キーボタン（不図示）を操作したり、特定番号にまず呼接続のトライアルを行う。
移動通信端末Ａ１〜Ａｎや有線端末Ｃ１〜Ｃｎに別途に付加された音声呼接続用キーボタンを操作する場合にも、特定番号にまず呼接続のトライアルが行われる。
まず、有線端末Ｃ１〜Ｃｎの場合、地域別に有線端末Ｃ１〜Ｃｎを統合する市内交換器２０６、２０８、２１０．．．を備え、その市内交換器２０６、２０８、２１０．．．に接続できるように各道別や行政区域別に区別されるように統合された市外交換器２０２、２０４．．．を備える。一方、無線通信網１００と有線通信網２００を接続させる接続交換器３００．．．が備わっている。
【００８０】
本発明は、統合通信ＩＤ提供サーバーＩＣＩＤＳがインテリジェントネットワーク交換器１１２、１１４．．．に接続されていて、統合通信ＩＤに対する接続データ及びその統合通信ＩＤを利用して多様な呼接続対象の通信機器（サーバー、ファックス、有線／無線端末．．．など）に接続できるように各統合通信ＩＤ別接続データがデータベースＤＢ２に格納される。統合通信ＩＤ提供サーバーＩＣＩＤＳの接続データは、移動通信端末Ａ１〜Ａｎや有線端末Ｃ１〜Ｃｎで変換した接続コードを受信してその接続コードが特定する電話番号である。統合通信ＩＤ提供サーバーＩＣＩＤＳは、呼接続しようとする電話番号データを抽出してインテリジェントネットワーク交換器１１２、１１４．．．に伝送するようになる。
【００８１】
本実施形態では、ユーザーの音声呼接続のトライアルのために統合通信ＩＤ提供サーバーＩＣＩＤＳには音声データを統合通信ＩＤの文字に変換させるためのボイスＩＤ通知装置VＩＤＡが備わって、そのボイスＩＤ通知装置VＩＤＡは音声で供給された統合通信ＩＤを文字に変換する。したがって、統合通信ＩＤ提供サーバーＩＣＩＤＳは、その文字データと関連した実際の電話番号を抽出する。そして、統合通信ＩＤ提供サーバーＩＣＩＤＳには発信地の統合通信ＩＤを既設定されたコードに変換させるためのコード変換アルゴリズム（ＣＥＸＡ）が備わっている。
したがって、図１３のように移動通信端末Ａ１〜Ａｎを介してユーザーが音声呼接続用特定ボタンを操作したり、既付与されて統合通信ＩＤ提供サーバーＩＣＩＤＳに接続できる特定番号で呼接続をトライアルを行った後、呼接続しようとする統合通信ＩＤで「Ｐｉｎｅｔｒｅｅ」を音声入力する。
そうすると、統合通信ＩＤ提供サーバーＩＣＩＤＳはボイスＩＤ通知装置VＩＤＡを介して呼接続対象の統合通信ＩＤの「Ｐｉｎｅｔｒｅｅ」を文字に変換して、その「Ｐｉｎｅｔｒｅｅ」に対する実際の電話番号を抽出する。この時、ボイスＩＤ通知装置VＩＤＡはインテリジェントネットワーク交換器１１２、１１４．．．にそれぞれ備わることができて、統合通信ＩＤ提供サーバーＩＣＩＤＳに単独で備わることができる。
【００８２】
好ましく、統合通信ＩＤ提供サーバーＩＣＩＤＳは呼接続された発信者の移動通信端末Ａ１〜Ａｎに呼接続対象者のＩＤの「Ｐｉｎｅｔｒｅｅ」に対してどんな通信機器で接続することかについての質疑するように構成でき、統合通信ＩＤ提供サーバーＩＣＩＤＳはその移動通信端末Ａ１〜ＡｎにＡＲＳ装置のように音声出力が可能である。すなわち、「Ｐｉｎｅｔｒｅｅ」の移動通信端末への接続は「１」番を、有線端末への接続は「２」番を、ファックスへのデータ伝送は「３」番を、ホームページへの接続は「４」番を、音声メッセージの格納は「５」番を、呼び出し番号の格納は「６」番をユーザーが操作できて、音声出力が可能にすることができる。
仮に、発信ユーザーが「１」番をキー操作すれば、統合通信ＩＤ提供サーバーＩＣＩＤＳは当該統合通信ＩＤを有するユーザーの実際移動通信電話番号を抽出し、インテリジェントネットワーク交換器１１２、１１４．．．及び交換器１０８、１１０．．．に伝送して呼接続を行うようにする。
この時、統合通信ＩＤ提供サーバーＩＣＩＤＳは発信ユーザーの移動通信端末（例えば、Ａ１の統合通信ＩＤを接続コードに変換して、共に送出して受信ユーザーの移動通信端末（例えば、Ａｎ）に発信者の統合通信ＩＤが画面出力されるようにする。統合通信ＩＤ提供サーバーＩＣＩＤＳでなる接続コードへの変換及び受信ユーザーの移動通信端末（例えば、Ａｎ）でなる接続コードの統合通信ＩＤへの変換は、図６ａ、６ｂ、６ｃ、６ｄ及び図８ａ、８ｂ、８ｃを介して記述されたので省略する。
したがって、ユーザーは多様な通信機器に対する情報を音声入力で統合通信ＩＤ提供サーバーＩＣＩＤＳから提供を受けることができ、簡単なキー操作で当該呼接続対象者の通信機器またはホームページに接続できるようになる。
【００８３】
以下、本発明の第４実施形態に対して図面を参照して詳細に説明する。
図１４は、本発明の第４実施形態に係る統合通信ＩＤ提供システムの概略的な構成を示す模式図である。
これを参照すれば、本発明の第４実施形態に係る統合通信ＩＤ提供システムは統合通信ＩＤを利用して特定ユーザーの各種通信機器に接続できるようになる。この時、情報発信機器が移動通信端末Ａ１〜Ａｎなものをその一例で例示したが、発信機器はこれに限定されず、データを伝送できる各種機器が皆含まれる。
【００８４】
本発明の第４実施形態に係る統合通信ＩＤ提供システムでは、ユーザーが統合通信ＩＤ提供サーバーＩＣＩＤＳにそのディレクトリ情報で登録した通信対象が一般電話端末Ｃ１〜Ｃｎ及び、ファックスF１〜Fｎ、ホームページ情報、電子メール情報などである場合、その通信対象にそれぞれリアルタイムで接続可能で、ユーザーがその通信対象に対する番号やＩＤをその都度記憶しなくてもよいので非常に便利である。
このために、統合通信ＩＤ提供サーバーＩＣＩＤＳは、有線電話音声データ及びファックスデータの中継を行う有線中継サーバーＷＩＳと接続されていて、移動通信サーバーＭＣＳと同じで統合通信ＩＤ提供サーバーＩＣＩＤＳに構築された第２データベースＤＢ２を開放するようになる。
また、統合通信ＩＤ提供サーバーＩＣＩＤＳは、複数のホームページを管理する各種ホーストサーバーＨＳ１〜ＨＳｎと、メーリングサービスを行うメールサーバーＨＳ１〜ＨＳｎのＩＰ及びＵＲＬルートを指定するルートサーバーＲＳ１と接続される。
したがって、ユーザーがいずれかの通信機器（例えば、移動通信端末、Ａ１〜Ａｎを利用して特定統合通信ＩＤを伝送すれば、中継サーバーを介して当該統合通信ＩＤを有する各種通信機器と接続できるようになる。
例えば、ユーザーが移動通信端末Ａ１〜Ａｎを利用して特定統合通信ＩＤの「２Ｐｉｎｅｔｒｅｅ」を入力して呼接続のトライアルを行うと、有線中継サーバーＷＩＳは自体ＤＢをスキャンして「２Ｐｉｎｅｔｒｅｅ」を検索するが、有線中継サーバーＷＩＳの自体ＤＢに「２Ｐｉｎｅｔｒｅｅ」が存在しなければ、その有線中継サーバーＷＩＳは関連した統合通信ＩＤ提供サーバーＩＣＩＤＳの第２データベースＤＢ２に接続して当該統合通信ＩＤの「２Ｐｉｎｅｔｒｅｅ」が存在するかを質疑要請するようになる。
統合通信ＩＤ提供サーバーＩＣＩＤＳは「Ｐｉｎｅｔｒｅｅ」という統合通信ＩＤが存在するかをスキャンして、存在する時、当該統合通信ＩＤの下位ディレクトリ情報を読み取りした後、「２」が家の電話番号を表したことを認知して図２に示すような家の電話番号（例えば、０２−１２３−４５６７）を抽出して有線中継サーバーＷＩＳに伝送して呼接続できるようにする。
【００８５】
ファックスの場合にもこれと同じで、ＰＳＴＮ網を利用して呼接続される方式であるので、有線中継サーバーＷＩＳを利用して、ユーザーは移動通信端末Ａ１〜Ａｎを介して入力したり、その移動通信端末Ａ１〜Ａｎに予め格納された特定文字を呼び出して遠距離に離隔されたファックスF１〜Fｎに伝送できるようになる。この場合にも、ユーザーは受信処のファックス番号を認知が不可能になっても移動通信端末Ａ１〜Ａｎを介して受信処に関係された統合通信ＩＤを利用してファックス伝送が可能になる。
例えば、あるユーザーが勤める事務室のファックス番号が「０２−４５６−７８９０」であり、当該ユーザーの統合通信ＩＤが「Ｐｉｎｅｔｒｅｅ」である場合、発信ユーザーはその移動通信端末Ａ１〜Ａｎを利用してファックス番号を特定する文字（例えば、「７」）を入力して、統合通信ＩＤの「Ｐｉｎｅｔｒｅｅ」を入力して特定データを伝送できる。
その統合通信ＩＤと伝送しようとするデータは有線中継サーバーＷＩＳに供給されて、統合通信ＩＤ提供サーバーＩＣＩＤＳはその有線中継サーバーＷＩＳの質疑によって当該ファックス番号を伝送して、伝送しようとするデータがどれかを確認させる。したがって、その有線中継サーバーＷＩＳは当該ファックス番号に特定データを伝送できるようになる。
【００８６】
ホームページの場合はデータ通信網（インターネット、無線インターネット網．．．など）を利用して接続される方式であるから、ＩＰアドレスやＵＲＬを介してホームページを管理するホーストサーバーＨＳ１〜ＨＳｎに接続にならなければならない。この時、外部で当該アドレスを有するホームページへの接続はルーティング過程及びルーチング過程をたどるが、ルーティング及びルーチング過程は正確に発信者が当該ホームページに接続できるように接続ルートを指定してくれる過程であるため、これは一般的な公知技術であるからこれに対する詳細な説明は省略する。
したがって、外部から特定ホームページへのアクセスを望む場合、その接続ラインの中には複数のルートサーバーＲＳ１〜ＲＳｎが存在するようになる。このようなルートサーバーＲＳ１〜ＲＳｎはＷｉｎｄｏｗｓプログラムと連動されて動作でき、Ｗｉｎｄｏｗｓプログラムの下位プログラムで動作されるようにすることができる。
例えば、あるユーザーが所有したホームページが「ｗｗｗ．ｈｏｎｇｄｏｎｇ．ｃｏ．ｋｒ」で、当該ユーザーの統合通信ＩＤが「Ｐｉｎｅｔｒｅｅ」である場合、発信ユーザーはその移動通信端末Ａ１〜Ａｎを利用してホームページを特定する文字（例えば、「４」）を入力して、統合通信ＩＤの「Ｐｉｎｅｔｒｅｅ」を入力して特定データを伝送できる。
その統合通信ＩＤは移動通信サーバーＭＣＳに供給されて、その移動通信サーバーＭＣＳは統合通信ＩＤ提供サーバーＩＣＩＤＳに接続して当該統合通信ＩＤ（例えば、「４Ｐｉｎｅｔｒｅｅ」についての質疑要請を行うようになる。統合通信ＩＤ提供サーバーＩＣＩＤＳはその統合通信ＩＤの「４Ｐｉｎｅｔｒｅｅ」に対する質疑要請を供給されてＤＢスキャンを介して当該統合通信ＩＤに対する要求が「ｗｗｗ．ｈｏｎｇｄｏｎｇ．ｃｏ．ｋｒ」を有するＵＲＬへの接続であることを認知して、そのＵＲＬ情報を移動通信サーバーＭＣＳに伝送する。
移動通信サーバーＭＣＳはルートサーバーＲＳ１に「ｗｗｗ．ｈｏｎｇｄｏｎｇ．ｃｏ．ｋｒ"情報を伝送して当該移動通信端末Ａ１〜Ａｎが当該ホームページに接続できるようにする。
【００８７】
電子メールの場合も同じで、外部から特定メールサーバーＭＳ１〜ｍｓｎへのアクセスを望む場合、その接続ラインの中には複数のルートサーバーＲＳ１〜ＲＳｎが存在するようになる。このようなルートサーバーＲＳ１〜ＲＳｎはＷｉｎｄｏｗｓ応用プログラムと連動されて動作でき、Ｗｉｎｄｏｗｓプログラムの下位プログラムで動作するようにすることができる。
例えば、あるユーザーが所有したＥ−メールアドレスが「ｈｏｎｇｄｏｎｇ＠ｍａｉｌｓ．ｎｅｔ」で、当該ユーザーの統合通信ＩＤが「Ｐｉｎｅｔｒｅｅ」である場合、発信ユーザーはその移動通信端末Ａ１〜Ａｎを利用してＥ−メールを特定する文字（例えば、「５」）を入力して、統合通信ＩＤの「Ｐｉｎｅｔｒｅｅ」を入力して特定データを伝送できる。
その統合通信ＩＤは移動通信サーバーＭＣＳに供給されて、その移動通信サーバーＭＣＳは統合通信ＩＤ提供サーバーＩＣＩＤＳに接続して当該統合通信ＩＤ（例えば、「５Ｐｉｎｅｔｒｅｅ」についての質疑要請を行うようになる。統合通信ＩＤ提供サーバーＩＣＩＤＳは、その統合通信ＩＤの「５Ｐｉｎｅｔｒｅｅ」に対する質疑要請を受けてＤＢスキャンを介して当該統合通信ＩＤに対する要求が「ｈｏｎｇｄｏｎｇ＠ｍａｉｌｓ．ｎｅｔ」を有するアドレスへのデータ伝送であることを認知し、そのアドレス情報を移動通信サーバーＭＣＳに伝送する。
移動通信サーバーＭＣＳはルートサーバーＲＳ１及び特定メールサーバーＭＳ１〜ＭＳｎを介して「ｈｏｎｇｄｏｎｇ＠ｍａｉｌｓ．ｎｅｔ"のアドレスを有するユーザーにＥ−メールを伝送できるようになる。
【００８８】
前述の方式は本発明にで複数の通信情報を統合して与えた固有の単一統合通信ＩＤを利用する一例を記述したもので、その一例を遂行するための付加的な下位概念に対してはその説明を省略することを予め明らかにする。
また、本発明において、ユーザーに固有に与えられる統合通信ＩＤは各種文字はもちろんのこと、数字、特殊文字、画像、動映像のうち、キャプチャーされた一部画像などが皆含まれることができる。
【００８９】
図１５は、本発明の第４実施形態に係る統合通信ＩＤ提供システムのデータの流れを示すデータの図である。
これを参照すれば、本発明の第４実施形態に係る統合通信ＩＤ提供システムは特定の統合通信ＩＤを利用して有線電話端末Ｃ１〜Ｃｎから発信し、特定の移動通信端末Ａ１〜Ａｎに対して接続できることはもちろんのこと、移動通信端末Ａ１〜Ａｎから特定有線電話端末Ｃ１〜Ｃｎに対して接続することもできる。図７は、その中で移動通信端末Ａ１〜Ａｎを介して特定有線電話端末Ｃ１〜Ｃｎに接続して通話する一例を記述したものである。
まず、ユーザーが移動通信端末Ａ１〜Ａｎを利用して特定統合通信ＩＤを伝送すれば、中継サーバーを介して当該統合通信ＩＤを有する各種通信機器と接続できるようになる。
例えば、ユーザーが移動通信端末Ａ１〜Ａｎを利用して特定統合通信ＩＤの「２Ｐｉｎｅｔｒｅｅ」を入力して呼接続のトライアルを行うと、有線中継サーバーＷＩＳは自体ＤＢをスキャンして「２Ｐｉｎｅｔｒｅｅ」を検索するが、有線中継サーバーＷＩＳの自体ＤＢに「２Ｐｉｎｅｔｒｅｅ」が存在しなければ、その有線中継サーバーＷＩＳは関連した統合通信ＩＤ提供サーバーＩＣＩＤＳの第２データベースＤＢ２に接続して当該統合通信ＩＤの「２Ｐｉｎｅｔｒｅｅ」が存在するかを質疑要請するようになる。
統合通信ＩＤ提供サーバーＩＣＩＤＳは「Ｐｉｎｅｔｒｅｅ」という統合通信ＩＤが存在するかをスキャンして、存在する時、当該統合通信ＩＤの下位ディレクトリ情報を読み取りした後、「２」が家の電話番号を表したことを認知して図２に示すような家の電話番号（例えば、０２−１２３−４５６７）を抽出して有線中継サーバーＷＩＳに伝送して呼接続できるようにする。
【００９０】
図１６は、本発明の第４実施形態に係る統合通信ＩＤ提供システムの他のデータの流れを示すデータの図である。
これを参照すれば、本発明の第４実施形態に係る統合通信ＩＤ提供システムはユーザーが移動通信端末Ａ１〜Ａｎを利用して、無線ウェブ網を介して遠隔の第３者ホームページに接続する場合にも、統合通信ＩＤだけを認知した状態でホームページＵＲＬを知らなくても接続が可能である。
例えば、あるユーザーが所有したホームページが「ｗｗｗ．ｈｏｎｇｄｏｎｇ．ｃｏ．ｋｒ」であり、当該ユーザーの統合通信ＩＤが「Ｐｉｎｅｔｒｅｅ」である場合、発信ユーザーはその移動通信端末Ａ１〜Ａｎを利用してホームページを特定する文字（例えば、「４」）を入力して、統合通信ＩＤの「Ｐｉｎｅｔｒｅｅ」を入力して特定データを伝送できる。
その統合通信ＩＤは移動通信サーバーＭＣＳに供給されて、その移動通信サーバーＭＣＳは統合通信ＩＤ提供サーバーＩＣＩＤＳに接続して当該統合通信ＩＤ（例えば、「４Ｐｉｎｅｔｒｅｅ」についての質疑要請を行うようになる。統合通信ＩＤ提供サーバーＩＣＩＤＳはその統合通信ＩＤの「４Ｐｉｎｅｔｒｅｅ」に対する質疑要請を受けて、ＤＢスキャンを介して当該統合通信ＩＤに対する要求が「ｗｗｗ．ｈｏｎｇｄｏｎｇ．ｃｏ．ｋｒ」を有するＵＲＬへの接続であることを認知して、そのＵＲＬ情報を移動通信サーバーＭＣＳに伝送する。
移動通信サーバーＭＣＳはルートサーバーＲＳ１を介して特定ホーストサーバーＨＳ１〜ＨＳｎに「ｗｗｗ．ｈｏｎｇｄｏｎｇ．ｃｏ．ｋｒ"情報を伝送して当該移動通信端末Ａ１〜Ａｎが当該ホームページに接続できるようにする。
【００９１】
以下、本発明の第５実施形態に対して図面を参照して詳細に説明する。
図１７は、本発明の第５実施形態に係る統合通信ＩＤ提供システムの概略的な構成を示す模式図である。
これを参照すれば、本発明の第５実施形態に係る統合通信ＩＤ提供システムでは、特定有線電話端末Ｄ１〜Ｄｎから不特定第３者の統合通信ＩＤ情報及びその統合通信ＩＤを所有したユーザーが公開したそのユーザーの各種通信機器情報、ホームページ情報、車両情報、電子メール情報などを受け取ることができる。
このために、各ユーザーに与えた統合通信ＩＤを管理しながら、有線中継サーバーＷＩＳと関連してその統合通信ＩＤの下位情報のディレクトリ情報を管理し、音声認識を介してどの統合通信ＩＤに対する情報をユーザーが望むかを判断して当該ディレクトリ情報を提供するようにする統合通信ＩＤ提供サーバーＩＣＩＤＳが提供される。
また、ユーザーが統合通信ＩＤ提供サーバーＩＣＩＤＳから提供を受けた情報を利用して有線電話端末Ｄ１〜Ｄｎまたは移動通信端末Ｂ１〜Ｂｎに直ちに接続することもできる。
したがって、統合通信ＩＤ提供サーバーＩＣＩＤＳには、発信者の音声認識を介して発信者が望む情報がどの統合通信ＩＤに対応するものなのかを判断できるように、その内部に音声認識装置ＶＰＡが内蔵され、それに対する答弁及び各種選択情報を入力されるためのＡＲＳ装置ＡＲＳが連携されている。音声認識装置ＶＰＡ及びＡＲＳ装置ＡＲＳは、図１３で既説明したボイスＩＤ通知装置VＩＤＡと同様である。
このために、ユーザーが一般有線電話端末Ｄ１〜Ｄｎを介して統合通信ＩＤ提供サーバーＩＣＩＤＳに接続できるように統合通信ＩＤ提供サーバーＩＣＩＤＳには特定の接続用電話番号（例えば、１５０−１５０・・・など）が与えられることが好ましい。
したがって、ユーザーは一般有線電話端末Ｄ１〜Ｄｎを介して統合通信ＩＤ提供サーバーＩＣＩＤＳに接続するようになる。接続用電話番号はＡＲＳ装置ＡＲＳと関連しているので、有線呼接続がなされれば、統合通信ＩＤ提供サーバーＩＣＩＤＳはＡＲＳ装置ＡＲＳを介して「情報提供を希望する統合通信ＩＤを音声で入力してください。」という音声を出力する。
ユーザーが通信する統合通信ＩＤと、通信方式を（例えば、「２Ｐｉｎｅｔｒｅｅ」のように有線電話端末Ｄ１〜Ｄｎを介して音声で入力すれば、統合通信ＩＤ提供サーバーＩＣＩＤＳは当該ユーザーが「Ｐｉｎｅｔｒｅｅ」という統合通信ＩＤの家の電話番号で通話したり当該家の電話番号に対する情報を要求するものと判断する。
そうすると、統合通信ＩＤ提供サーバーＩＣＩＤＳは当該ユーザーの有線電話端末Ｄ１〜Ｄｎの方に直ちに通話を行うか、情報出力を行うかを選択できるように音声を出力する。仮りに、直ちに通話を実行しようとすれば「１」番を押すようにし、電話番号情報だけを出力するようにする場合には「２」番を押すようにすることが好ましい。
したがって、ユーザーの選択によって当該統合通信ＩＤを有する通信機器（例えば、家の有線電話機）に呼接続して通話したり、その通信機器の接続番号情報を出力するようにする。当該統合通信ＩＤの下位情報のディレクトリ情報に含まれるホームページＵＲＬや電子メール情報も、ユーザーが他のユーザーに電話でいちいち聞かなくても公開時非常に容易に案内されるようになるので使用上便利である。
【００９２】
前述した構成の本発明の第５実施形態に係る統合通信ＩＤ提供システムの機能と作用を添付された図面を参照して詳細に説明する。
まず、ユーザーは、一般有線電話端末Ｄ１〜Ｄｎを介して統合通信ＩＤ提供サーバーＩＣＩＤＳに接続するようになる。統合通信ＩＤ提供サーバーＩＣＩＤＳに予め与えられた接続用電話番号を介して統合通信ＩＤ提供サーバーＩＣＩＤＳに接続するが、その統合通信ＩＤ提供サーバーＩＣＩＤＳはＡＲＳ装置ＡＲＳと関連しているので、有線呼接続がなれば、統合通信ＩＤ提供サーバーＩＣＩＤＳはＡＲＳ装置ＡＲＳを介して「情報提供を希望する統合通信ＩＤを音声で入力してください。」という音声を出力する。
ユーザーが通信する統合通信ＩＤと、通信方式を（例えば、「２Ｐｉｎｅｔｒｅｅ」のように有線電話端末Ｄ１〜Ｄｎを介して音声で入力すれば、統合通信ＩＤ提供サーバーＩＣＩＤＳは当該ユーザーが「Ｐｉｎｅｔｒｅｅ」という統合通信ＩＤの家の電話番号で通話したり当該家の電話番号に対する情報を要求するものと判断する。
そうすると、統合通信ＩＤ提供サーバーＩＣＩＤＳは当該ユーザーの有線電話端末Ｄ１〜Ｄｎの方に直ちに通話を行うか、情報出力を行うかを選択できるように音声を出力する。仮りに、直ちに通話を実行しようすれば「１」番を押すようにし、電話番号情報だけを出力するようにする場合には「２」番を押すようにすることが好ましい。
したがって、ユーザーの選択によって当該統合通信ＩＤを有する通信機器（例えば、家の有線電話機）に呼接続して通話したり、その通信機器の接続番号情報を出力するようにする。
【００９３】
以下、本発明の第６実施形態に対して図面を参照して詳細に説明する。
図１８は、本発明の第６実施形態に係る統合通信ＩＤ提供システムの概略的な構成を示す模式図である。
これを参照すれば、本発明の第６実施形態に係る統合通信ＩＤ提供システムは、発信者がパソコン端末ＰＣ１〜ＰＣｎを利用して特定の統合通信ＩＤの各種通信機器に接続するようにすることができる。ユーザーがパソコン端末ＰＣ１〜ＰＣｎを利用する場合には予め与えられて、統合通信ＩＤ提供サーバーＩＣＩＤＳに接続できるＵＲＬにまず接続するようになる。
統合通信ＩＤ提供サーバーＩＣＩＤＳでは各統合通信ＩＤ別に下位ディレクトリ情報の当該統合通信ＩＤ所有者の有線電話の番号、ファックス番号、ホームページ、電子メール．．．などの情報を当該パソコン端末ＰＣ１〜ＰＣｎのウェブブラウザに提供する。
ユーザーがパソコン端末ＰＣ１〜ＰＣｎを利用して下位ディレクトリ情報のうちのいずれかを選択して、当該通信機器に直接接続することかによって当該統合通信ＩＤを所有したユーザーのホームページに接続できて、当該ユーザーに電子メールを送付でき、ＰＳＴＮ網と移動通信網を介して一般有線電話端末Ｃ１〜Ｃｎ及び移動通信端末Ｂ１〜Ｂｎにネットワーク電話でリアルタイムで接続できるようになる。
ネットワーク電話Ｅは、イヤホンマイクＥＭ１〜ＥＭｎからなる装置がユーザーのパソコン端末ＰＣ１〜ＰＣｎに付加されていて、中継装置までデータ通信網を介して接続される方式で、これは既に公知された技術であるからこれに対する説明は省略する。
【００９４】
一方、本発明の実施形態に係る統合通信ＩＤ提供システムは、統合通信ＩＤ提供サーバーＩＣＩＤＳが多様な通信中継サーバーと接続されていて、各統合通信ＩＤに対する下位情報の移動通信端末情報、有線電話端末情報、ホームページ情報、電子メール情報、車両情報、ペット犬の番号情報、子女の画像データなどが読み取り可能に統合通信ＩＤ提供サーバーＩＣＩＤＳにＤＢで構築されているので、不特定第３者が情報を逆スキャンできる。
例えば、不特定第３者が特定車両情報（Ｓｅｏｕｌ  １２  Ｍｏ１２３４）の所有者と電話通話をする場合は、その不特定第３者が移動通信端末Ａ１〜Ａｎまたは有線電話端末Ｃ１〜Ｃｎを介して統合通信ＩＤ提供サーバーＩＣＩＤＳに接続し、統合通信ＩＤ別に公開されたディレクトリ情報の中特定車両情報（Ｓｅｏｕｌ  １２  Ｍｏ１２３４）の所有者の移動通信端末情報を受け取ることもできて、直ちに当該車両所有者と接続が可能になる。ペット犬の番号を認知した場合にもそのペット犬の所有主を前述の方式で探索できる。
【００９５】
子女の画像情報を利用してその子女の父母をさがす場合には、統合通信ＩＤ提供サーバーＩＣＩＤＳに付加された画像比較機（不図示）を介して統合通信ＩＤの逆スキャンが可能で、この場合には子女の画像情報を不特定第３者が撮象をして統合通信ＩＤ提供サーバーＩＣＩＤＳに伝送しなければならない。最近では移動通信端末Ａ１〜Ａｎに画像カメラが付着したものが存在するので、このような画像撮像手段を介して特定の子供の父母と電話通話することが可能である。また、子女の実名を登録した場合にも、不特定第３者が統合通信ＩＤ提供サーバーＩＣＩＤＳに接続して当該実名を入力した後、その実名の子女を有する父母と通信接続を行うことができる。当該実名で登録された同名が多数が存在していても、不特定第３者と父母がより迅速に子女をさがすことができる。
好ましく、統合通信ＩＤ提供サーバーＩＣＩＤＳに各統合通信ＩＤ別に登録されるディレクトリ情報にはメッセンジャーＩＤが含まれることができて、口座情報が含まれることができる。メッセンジャーの場合には無線網や有線網を介してメッセンジャーに不特定第３者が接続できるように情報公開を行うことであり、移動通信端末Ａ１〜Ａｎの場合、特定統合通信ＩＤを有するユーザーのメッセンジャープログラムで特定ショートメッセージサービスを行うことができる。したがって、このようなメッセンジャーサービスが統合通信ＩＤ提供サーバーＩＣＩＤＳに付加されるようにするためには、メッセンジャー情報で当該ユーザーのコンピュータ端末のＩＰアドレスとＩＤが、その隠れ情報として統合通信ＩＤ提供サーバーＩＣＩＤＳの第２データベースＤＢ２に格納されなければならない。
【００９６】
一方、統合通信ＩＤのディレクトリ情報として、口座情報が含まれる場合、当該統合通信ＩＤの所有者のユーザーが本人の口座をいちいち記憶せず、予め統合通信ＩＤ提供サーバーＩＣＩＤＳに登録しておいた状態で各種無線インターネットバンキングを遂行するために作られたのである。この場合、口座情報はディレクトリ情報を格納する第２データベースＤＢ２の隠れ情報として格納されていて、その口座情報には当該金融サーバーのＵＲＬが共に格納されている。
したがって、口座情報を特定する数字が「９」と仮定し、接続を望む統合通信ＩＤが「Ｐｉｎｅｔｒｅｅ」と仮定する時、統合通信ＩＤ提供サーバーＩＣＩＤＳは当該「Ｐｉｎｅｔｒｅｅ」という統合通信ＩＤを有するユーザーの口座情報と、当該口座の金融サーバー（不図示）のＵＲＬを提供してその金融機関のインターネットバンキングを実行できるホームページに接続できるようにする。この場合にも本人を確認するための暗号などの入力だけ必要で、別途の口座番号は記憶しなくてもインターネットバンキングを遂行することができるので非常に便利である。
好ましく、統合通信ＩＤ提供サーバーＩＣＩＤＳの内部には多数ユーザーの勘定情報を格納する仮想口座を構築できるが、その仮想口座は金融サーバーに接続して入／出金データだけを金融サーバーから伝送されて、その入出金データをユーザーが確認できるように格納するようになる。この時、ユーザーの認証になると当該ユーザーにだけ入出金情報が公開されて、認証されない他人には非公開状態が維持されるようにする。
信号体系と反対に、特定ユーザーが統合通信ＩＤ提供サーバーＩＣＩＤＳに接続して入出金命令を発生させることができる。この場合、ユーザーが移動通信端末Ａ１〜Ａｎを利用して付加価値網を介して直接金融サーバーに接続した後、各種金融信号を発生させる時、可能性が存在する各種保安問題を解決できるようになる。これは移動通信端末Ａ１〜Ａｎの処理用量を低減させるのに役立つ。
すなわち、ユーザーが統合通信ＩＤ提供サーバーＩＣＩＤＳの仮想口座に接続して受信人の統合通信ＩＤを入力し、振替金額を入力すれば、統合通信ＩＤ提供サーバーＩＣＩＤＳは逆に当該金融サーバーにユーザーの入出金命令を発生させるようにする。この場合、統合通信ＩＤ提供サーバーＩＣＩＤＳから発生した入出金命令は、統合通信ＩＤ提供サーバーＩＣＩＤＳの内で暗号化され、認証された付加価値網を介して金融サーバーに伝送されるので強力な保安体系を揃えるようになる。すなわち、ユーザーが直接金融サーバーに無線ウェブ網などで接続する時発生できるハッキングの可能性を低減させることができるようになる。
【００９７】
また、本発明の実施形態に係る統合通信ＩＤ提供システムで統合通信ＩＤ提供サーバーＩＣＩＤＳは各種通信機器や中継装置に接続されてデータの接続ルートを指定する役割を遂行するが、双方ユーザーの合意により送受信されるデータを統合通信ＩＤ提供サーバーＩＣＩＤＳに格納することができる。この場合には、統合通信ＩＤ提供サーバーＩＣＩＤＳの内部ＤＢに各統合通信ＩＤ別に格納領域を割り当てておいて、ユーザーの選択によって送受信されるデータを格納できるようにする。格納空間領域の大きさやその格納時間などは付加的な例であるから説明を省略する。格納データは文字データ及び特定ファイル、画像データ、動映像データ、音声データなどが汎用的に皆含まれることができる。
また、統合通信ＩＤ提供サーバーＩＣＩＤＳには、そのデータ用量が相対的に小さな移動通信専用ホームページをＤＢに格納しておいた状態で、不特定第３者の接続時、そのホームページを提供できる。
【００９８】
図１９は、本発明の第６実施形態に係る統合通信ＩＤ提供システムにＩＰデータベースが含まれた構成を示す模式図である。
これを参照すれば、本発明の第６実施形態に係る統合通信ＩＤ提供システムは基本統合通信ＩＤ及び関係型統合通信ＩＤ（=友人統合通信ＩＤ）、ローカル統合通信ＩＤに対する登録及び更新処理を統合通信ＩＤ提供サーバーＩＣＩＤＳに行うことができ、ユーザーはインターネット網を介して統合通信ＩＤ提供サーバーＩＣＩＤＳで情報更新及び登録、VOＩＰを利用した他のユーザーとの音声通話を実行できる。
また、インターネット網を介して統合通信ＩＤ提供サーバーＩＣＩＤＳに接続した状態で、他のユーザーの統合通信ＩＤを検索できる。
このために、本発明の第６実施形態に係る統合通信ＩＤ提供システムで統合通信ＩＤ提供サーバーＩＣＩＤＳは、当該ユーザーのコンピュータ端末ＰＣ１〜ＰＣｎに統合通信ＩＤの所有ユーザーが使用することのできる専用アプリケーションを提供して、そのアプリケーションが容易に動作できるように当該ユーザーのコンピュータ端末ＰＣ１〜ＰＣｎに別途の固有なＩＰアドレスを与える。そして、統合通信ＩＤ提供サーバーＩＣＩＤＳには各ユーザーに統合通信ＩＤと関連したＩＰアドレス情報を格納することのできるＩＰアドレスデータベースＤＢ−ＩＰが作られている。
【００９９】
図２０は、本発明の第６実施形態に係る統合通信ＩＤ提供システムでウェブ専用アプリケーションのインストール及びそのアプリケーションを介したデータ通信状態を示す図面である。
これを参照すれば、本発明の第６実施形態に係る統合通信ＩＤ提供システムでは、ユーザーのコンピュータ端末ＰＣ１〜ＰＣｎにインストールされた専用アプリケーションを介して統合通信ＩＤ提供サーバーＩＣＩＤＳに対する自動接続及び望む統合通信ＩＤの所有者に対する接続を行うことができるが、まずある不特定ユーザーは統合通信ＩＤ提供サーバーＩＣＩＤＳに接続して統合通信ＩＤ専用のアプリケーションをダウンロードし、当該ユーザーのコンピュータ端末ＰＣ１〜ＰＣｎにインストールする。
その専用アプリケーションは一種のメッセンジャープログラムなどと類似のプログラムで、統合通信ＩＤを所有した複数のユーザーを予めそのアプリケーションに登録しておいた状態で便利に直接接続でき、多様なファイルを伝送できる。また、元クリックボタンを介して統合通信ＩＤ提供サーバーＩＣＩＤＳに接続して情報登録及び更新、検索をリアルタイムで行うことができる。
ユーザーは統合通信ＩＤ提供サーバーＩＣＩＤＳに接続し、専用アプリケーションをダウンロードしてインストールする。インストールと同時に当該ユーザーのコンピュータ端末ＰＣ１〜ＰＣｎのＩＰアドレスが統合通信ＩＤ提供サーバーＩＣＩＤＳに伝送されて、統合通信ＩＤ提供サーバーＩＣＩＤＳは、そのＩＰアドレスと他の別のＩＰアドレスを当該ユーザーのコンピュータ端末ＰＣ１〜ＰＣｎに与えてインストールするようにする。新しく与えられた別途のＩＰアドレスは統合通信ＩＤ提供サーバーＩＣＩＤＳで容易にデータ分類するためのもので、専用ＩＰアドレスは統合通信ＩＤと関連してデータベースに格納されるようになる。
仮りに、ユーザーがそのコンピュータ端末（例えば、ＰＣ１）を利用して、特定統合通信ＩＤ（例えば、「天使」）を有する他のユーザーのコンピュータ端末ＰＣ１〜ＰＣｎに接続しようとする場合、統合通信ＩＤ提供サーバーＩＣＩＤＳは当該統合通信ＩＤ（天使）を利用して、関連したコンピュータ端末のＩＰアドレスを接続を要求するコンピュータ端末ＰＣ１に伝送して双方向接続が可能なようにする。
【０１００】
図２１は、本発明の第６実施形態に係る統合通信ＩＤ提供システムのウェブ専用アプリケーションの画面出力の状態を示す図面である。
これを参照すれば、図１９と２０で例示した専用アプリケーションをユーザーのコンピュータ端末ＰＣ１〜ＰＣｎにインストールすれば、Ｗｉｎｄｏｗｓ画面の下段ツールバーにその専用アプリケーションアイコン４２０が表示される。
その専用アプリケーションアイコン４２０をユーザーがクリックするとそのアプリケーションが駆動し、示したようなポップアップウィンドウ４１０がディスプレーされる。そのポップアップウィンドウ４１０には当該ユーザーの統合通信ＩＤ（Ｚｚａｎｇｇａ、４１２）が出力されて、接続を望む統合通信ＩＤの入力欄４１３が画面出力される。
また、その下段には、予め統合通信ＩＤを登録しておいた友人グループ情報４１４及び当該統合通信ＩＤの情報出力欄４１５が作られている。その情報出力欄４１５は登録しておいた統合通信ＩＤ別ホームページに直接接続できるようにホームページ情報がリンクされていて、ショートメッセージや電子メールを別途のメールサーバーなく直接送受信できるメール伝送ボタンがそれぞれリンクされている。
一方、本発明の実施形態に係る統合通信ＩＤ提供システム及びその方法は、前述の実施形態のみに限定されるものでなく、その技術的要旨を離脱しない範囲内で多様な変更が可能である。
【産業上の利用可能性】
【０１０１】
本発明に係る統合通信ＩＤ提供システム及びその方法は、各種通信機器番号及びホームページＵＲＬ、電子メール情報、車両番号、ペット犬の番号、子女の実名、子女の画像情報、インターネットバンキングが可能な口座情報を、その情報自体をユーザーが確認しない状態でも接続できるように、別途の固有な統合通信ＩＤを提供してユーザー間の便宜を図ることができて、通信接続の活性化を図るようになる。また、各種情報に基づいてその逆スキャンが可能なので、所有者とリアルタイムで通信接続できる。また、一つの統合通信ＩＤによって公開された多様な情報を不特定第３者が閲覧できるので、非常に便利だという長所があり、情報の洪水の中で多様な番号、ＵＲＬ、電子メールＩＤ、メッセンジャーＩＤなどを記憶しなくてもよいなどの長所がある。
【図面の簡単な説明】
【０１０２】
【図１】本発明の第１実施形態に係る統合通信ＩＤ提供システムの概略的な構成を示す模式図である。
【図２ａ】２aは本発明の第１実施形態に係る統合通信ＩＤ提供システムに登録された通信ＩＤ別ディレクトリ情報を示すテーブルの図である。
【図２ｂ】２ｂは本発明の第１実施形態に係る統合通信ＩＤ提供システムに登録された通信ＩＤ別基本ディレクトリ情報の設定状態を示す図面である。
【図３】本発明の第１実施形態に係る統合通信ＩＤ提供システムのデータの流れを示すデータの図である。
【図４】本発明の第１実施形態に係る統合通信ＩＤ提供システムの他のデータの流れを示すデータの図である。
【図５ａ】５ａは本発明の第１実施形態に係る統合通信ＩＤ提供システムの信号の流れを示すフローチャートである。
【図５ｂ】５ｂは本発明の第１実施形態に係る統合通信ＩＤ提供システムの信号の流れを示すフローチャートである。
【図５ｃ】５ｃは本発明の第１実施形態に係る統合通信ＩＤ提供システムの信号の流れを示すフローチャートである。
【図５ｄ】５ｄは本発明の第１実施形態に係る統合通信ＩＤ提供システムの信号の流れを示すフローチャートである。
【図５ｅ】５ｅは本発明の第１実施形態に係る統合通信ＩＤ提供システムの信号の流れを示すフローチャートである。
【図６ａ】６ａは本発明の第１実施形態に係る統合通信ＩＤ提供システムのネットワーク構成を詳細に示すネットワーク構成図である。
【図６ｂ】６ｂは本発明の第１実施形態に係る統合通信ＩＤ提供システムのネットワーク構成を詳細に示すネットワーク構成図である。
【図６ｃ】６ｃは本発明の第１実施形態に係る統合通信ＩＤ提供システムのネットワーク構成を詳細に示すネットワーク構成図である。
【図６ｄ】６ｄは本発明の第１実施形態に係る統合通信ＩＤ提供システムのネットワーク構成を詳細に示すネットワーク構成図である。
【図７ａ】７ａは本発明の第１実施形態に係る統合通信ＩＤ提供システムの端末発生信号を示す図面である。
【図７ｂ】７ｂは本発明の第１実施形態に係る統合通信ＩＤ提供システムの端末発生信号を示す図面である。
【図８ａ】８ａは本発明の第１実施形態に係る統合通信ＩＤ提供システムにおける信号解析手順を示す図面である。
【図８ｂ】８ｂは本発明の第１実施形態に係る統合通信ＩＤ提供システムにおける信号解析手順を示す図面である。
【図８ｃ】８ｃは本発明の第１実施形態に係る統合通信ＩＤ提供システムにおける信号解析手順を示す図面である。
【図９】本発明の第２実施形態に係る統合通信ＩＤ提供システムで提供する多様な統合通信ＩＤ及びそのデータグループにおける電話番号の抽出状態を示す模式図である。
【図１０】本発明の第２実施形態に係る統合通信ＩＤ提供システムで提供する基本統合通信ＩＤと関係型統合通信ＩＤを利用した呼接続状態を示す状態図である。
【図１１】本発明の第２実施形態に係る統合通信ＩＤ提供システムのローカル統合通信ＩＤを利用した呼接続ネットワーク構成を詳細に示すネットワーク構成図である。
【図１２】本発明の第２実施形態に係る統合通信ＩＤ提供システムのローカル統合通信ＩＤを利用した呼接続状態を示す状態図である。
【図１３】本発明の第３実施形態に係る統合通信ＩＤ提供システムのネットワーク構成を詳細に示すネットワーク構成図である。
【図１４】本発明の第４実施形態に係る統合通信ＩＤ提供システムの概略的な構成を示す模式図である。
【図１５】本発明の第４実施形態に係る統合通信ＩＤ提供システムのデータの流れを示すデータの図である。
【図１６】本発明の第４実施形態に係る統合通信ＩＤ提供システムの他のデータの流れを示すデータの図である。
【図１７】本発明の第５実施形態に係る統合通信ＩＤ提供システムの概略的な構成を示す模式図である。
【図１８】本発明の第６実施形態に係る統合通信ＩＤ提供システムの概略的な構成を示す模式図である。
【図１９】本発明の第６実施形態に係る統合通信ＩＤ提供システムにＩＰデータベースが含まれた構成を示す模式図である。
【図２０】本発明の第６実施形態に係る統合通信ＩＤ提供システムにおいてウェブ専用アプリケーションのインストール及びそのアプリケーションを介したデータ通信状態を示す図面である。
【図２１】本発明の第６実施形態に係る統合通信ＩＤ提供システムのウェブ専用アプリケーションの画面出力の状態を示す図面である。
【図１】
2006506919.tif 000006
【図２ａ】
2006506919.tif 000007
【図２ｂ】
2006506919.tif 000008
【図３】
2006506919.tif 000009
【図４】
2006506919.tif 000010
【図５ａ】
2006506919.tif 000011
【図５ｂ】
2006506919.tif 000012
【図５ｃ】
2006506919.tif 000013
【図５ｄ】
2006506919.tif 000014
【図５ｅ】
2006506919.tif 000015
【図６ａ】
2006506919.tif 000016
【図６ｂ】
2006506919.tif 000017
【図６ｃ】
2006506919.tif 000018
【図６ｄ】
2006506919.tif 000019
【図７ａ】
2006506919.tif 000020
【図７ｂ】
2006506919.tif 000021
【図８ａ】
2006506919.tif 000022
【図８ｂ】
2006506919.tif 000023
【図８ｃ】
2006506919.tif 000024
【図９】
2006506919.tif 000025
【図１０】
2006506919.tif 000026
【図１１】
2006506919.tif 000027
【図１２】
2006506919.tif 000028
【図１３】
2006506919.tif 000029
【図１４】
2006506919.tif 000030
【図１５】
2006506919.tif 000031
【図１６】
2006506919.tif 000032
【図１７】
2006506919.tif 000033
【図１８】
2006506919.tif 000034
【図１９】
2006506919.tif 000035
【図２０】
2006506919.tif 000036
【図２１】
2006506919.tif 000037
【国際調査報告】
2006506919.tif 000038